(57)【要約】  マインドフルネス技法に基づいて行動変容を促すシステム、方法、および物品が提供される。種々のシステムの態様には、デバイスで生成される、および／またはデバイスから／デバイスへ送信されるマインドフルネス促進データ、マインドフルネス促進データに関連する少なくとも１つの行動変容技法を特定するためにソフトウェア／プロセッサに接続された技法モジュール、および、特定された少なくとも１つの行動変容技法を開始するためにソフトウェア／プロセッサに接続された指示モジュールが含まれる。
2015504563.tif 000002
【特許請求の範囲】
【請求項１】
プロセッサによりマインドフルネス促進データを受信することであって、個人による事前選択行動変容での気付きを特定するために、前記マインドフルネス促進データが、前記個人により割り付けられた意味に関連付けられることと、
前記プロセッサにより前記マインドフルネス促進データを処理して少なくとも１つの前記事前選択行動変容の技法を特定することと、
前記プロセッサにより対応する指示を生成して前記特定された少なくとも１つの事前選択行動変容の技法を開始することと
を含むことを特徴とする方法。
【請求項２】
摂取事象、注射事象、吸入事象、注入事象、健康モニタリング事象、身体活動事象、および食事事象から基本的に構成される群より選択される少なくとも１つの事象から前記マインドフルネス促進データが生成されることを特徴とする請求項１に記載の方法。
【請求項３】
前記マインドフルネス促進データを生成する前記摂取事象は、摂取可能なデバイスを介して促進されることを特徴とする請求項２に記載の方法。
【請求項４】
前記摂取可能なデバイスは、ＲＦＩＤ対応デバイスおよび電流変更デバイスから基本的に構成される群より選択されることを特徴とする請求項３に記載の方法。
【請求項５】
少なくとも１つの行動変容の技法は、マインドフルネス技法、ムードマイナー技法（ｍｏｏｄ  ｍｉｎｅｒ  ｍｅｔｈｏｄｏｌｏｇｙ）、友達からの支援技法（ｈｅｌｐ  ｆｒｏｍ  ｍｙ  ｆｒｉｅｎｄｓ  ｍｅｔｈｏｄｏｌｏｇｙ）、健康食摂取約束技法（ｃｏｍｍｉｔ  ｔｏ  ｈｅａｌｔｈｙ  ｅａｔｉｎｇ  ｍｅｔｈｏｄｏｌｏｇｙ）、偽薬技法（ｐｌａｃｅｂｏ  ｐｉｌｌｓ  ｍｅｔｈｏｄｏｌｏｇｙ）、およびマッチド技法（ｍａｔｃｈｅｄ  ｍｅｔｈｏｄｏｌｏｇｙ）から基本的に構成される群より選択されることを特徴とする請求項１に記載の方法。
【請求項６】
前記マインドフルネス技法を前記個人の身体的状態または精神的状態の内の少なくとも１つと関連付けることをさらに含むことを特徴とする請求項５に記載の方法。
【請求項７】
前記個人の身体的状態または精神的状態を、集中、活力、平静、および幸福の内の少なくとも１つと関連付けることをさらに含むことを特徴とする請求項６に記載の方法。
【請求項８】
前記身体的状態または精神的状態がネガティブな感情の解毒剤と関連付けられ、前記集中状態がストレスと関連付けられ、前記活力状態が意志力と関連付けられ、前記平静状態が怒りと関連付けられ、さらに前記幸福状態が悲しみと関連付けられることを特徴とする請求項７に記載の方法。
【請求項９】
マインドフルネス促進デバイスにより前記マインドフルネス促進データを生成することをさらに含むことを特徴とする請求項１に記載の方法。
【請求項１０】
前記マインドフルネス促進デバイスは摂取可能なデバイスであることを特徴とする請求項９に記載の方法。
【請求項１１】
デバイスにより前記対応する指示を受信することをさらに含むことを特徴とする請求項１に記載の方法。
【請求項１２】
システム部品を介して前記マインドフルネス促進データに関連するデータを追跡することと、
システム部品を介して前記マインドフルネス促進データに関連するフィードバックを生成することと
をさらに含むことを特徴とする請求項１に記載の方法。
【請求項１３】
システム部品を介して前記マインドフルネス促進データに関連する予防措置指示を生成することをさらに含むことを特徴とする請求項１に記載の方法。
【請求項１４】
システムを介して前記マインドフルネス促進データに応答してメッセージを生成することと、
前記メッセージに応答して、前記システムを介して前記個人に関連するソーシャルネットワークアカウント、ショートメッセージサービスメッセージ、マルチメディアメッセージサービスメッセージ、または電子メールの内のいずれか１つに別のメッセージを送信することと
をさらに含むことを特徴とする請求項１に記載の方法。
【請求項１５】
デバイスにより生成されたマインドフルネス促進データと、
前記マインドフルネス促進データに関連する少なくとも１つの行動変容技法を特定するためにプロセッサに接続された技法モジュールと、
前記特定された少なくとも１つの行動変容技法を開始するために前記プロセッサに接続された指示モジュールと
を備えることを特徴とするシステム。
【請求項１６】
前記マインドフルネス促進データを生成することと、前記マインドフルネス促進データを送信することとの少なくとも１つを行うデータデバイスをさらに備えることを特徴とする請求項１５に記載のシステム。
【請求項１７】
前記データデバイスは、摂取可能なデバイス、注射デバイス、吸入デバイス、注入デバイス、検出デバイス、健康モニタリングデバイス、身体活動デバイス、埋め込み型デバイス、薬剤デポー放出デバイス、および食事デバイスから基本的に構成される群より選択されることを特徴とする請求項１６に記載のシステム。
【請求項１８】
前記摂取可能なデバイスは電流フロー中に前記マインドフルネス促進データをコードすることを特徴とする請求項１７に記載のシステム。
【請求項１９】
前記摂取可能なデバイスは、
コンダクタンスを変更する制御デバイス、ならびに
前記制御デバイスに電気的に接続された第１の材料と、前記制御デバイスに電気的に接続され、前記第１の材料から電気的に絶縁された第２の材料とを含む部分電源を有しており、
前記第１の材料および第２の材料が導電性液体と接触時に電位差を与えるように選択され、
前記制御デバイスは、前記第１の材料と第２の材料との間のコンダクタンスを変え、それにより、前記電流フローの大きさを変動させて前記マインドフルネス促進データをコードすることを特徴とする請求項１８に記載のシステム。
【請求項２０】
前記データデバイスは、薬物送達事象データおよび生理的パラメータデータの内の少なくとも１つを送信することを特徴とする請求項１５に記載のシステム。
【請求項２１】
前記マインドフルネス促進データに関連するデータを追跡することと、前記マインドフルネス促進データに関連するフィードバックを生成することとの少なくとも１つを行う追跡／フィードバックモジュールをさらに備えることを特徴とする請求項１５に記載のシステム。
【請求項２２】
前記マインドフルネス促進データに関連する予防措置指示を生成する予防措置モジュールをさらに備えることを特徴とする請求項１５に記載のシステム。
【請求項２３】
計算プラットホームで実行されると、ネットワークを介してマインドフルネス促進データを送信する方法を実行する指示を含む非一時的保存メディアであって、
ハブを介して前記マインドフルネス促進データを受信することと、
前記ハブを介して少なくとも一部の前記マインドフルネス促進データを技法モジュールに送信することと、
技法モジュールを介して前記マインドフルネス促進データに関連する少なくとも１つの技法を特定することと、
指示モジュールを介して、前記特定された技法に関連する少なくとも１つの指示を生成することと
を含むメディア
を有することを特徴とする物品。
【請求項２４】
ネットワーク部品を介して前記マインドフルネス促進データに関連するデータを追跡するステップと、
ネットワーク部品を介して前記マインドフルネス促進データに関連するデータを生成するステップと
の内の少なくとも１つをさらに含むことを特徴とする請求項２３に記載の物品。
【請求項２５】
ネットワーク部品を介して前記マインドフルネス促進データに関連する予防措置指示を生成することをさらに含むことを特徴とする請求項２３に記載の物品。
【請求項２６】
デバイスにより生成されるマインドフルネス促進データと、
前記マインドフルネス促進データに関連する少なくとも１つの行動変容技法を特定するためにプロセッサに接続された技法モジュールと、
前記特定された少なくとも１つの行動変容技法を開始するために前記プロセッサに接続された指示モジュールと
を含むシステムであって、
前記マインドフルネス促進データと前記行動変容技法に関連するデータとの融合が、直接または間接的に行動変容を促すことを特徴とするシステム。
【発明の詳細な説明】
【技術分野】
【０００１】
本開示は、一般に、健康関連デバイスおよび通信技術の分野に関する。さらに具体的には、また、種々の実例による態様では、本開示は、マインドフルネスに基づいて行動変容を促進するデバイス、システム、および方法に関する。
【背景技術】
【０００２】
薬物療法および他の健康法を遵守しないと、大きな問題に繋がる場合がある。多くの人が、特に、治療、栄養プログラム、および精神的健康維持プログラムの遵守を続けるために必要な行動を取ることができない可能性がある。医師の指示、長期健康報酬、および疾患状態の管理などの従来のメンタルモデルは、例外なく、治療の継続的遵守を支援することができない。このようなメンタルモデルは、極めて抽象的で、受け入れるのが難しい可能性がある。個人は、「この薬を今後１０年間毎日摂取すると、長生きできる」などの抽象概念を認識できない。治療の遵守ができないことにより、不必要な疾患進行、医療資源の浪費、およびその他の不都合な結果が生ずる場合がある。
【先行技術文献】
【特許文献】
【０００３】
【特許文献１】米国特許出願公開第２００３／０１８１８１５号明細書
【発明の概要】
【発明が解決しようとする課題】
【０００４】
従って、必要なのは、種々の改善された結果に繋がる可能性がある持続性行動変容を促進できる一連の動機づけ要因である。さらに具体的には、必要なのは、いくつかの心理的および技術的機序を活用することによるマインドフルネスおよび行動変容を促進する摂取型医薬品を使った一連の動機づけ要因である。
【課題を解決するための手段】
【０００５】
本開示は、マインドフルネスに基づいて行動変容を促進する種々のデバイス、システム、および方法を提供する。種々の態様は、使用者の行動変容を持続させる機序を含む。このような行動変容は、多くの、多様でポジティブな結果、例えば、治療結果、広範な社会的慣習、他人に対する慈善行為などの改善をもたらす可能性がある。デバイス、システム、および方法は、使用者グループ、疾患状態、地理的範囲、および関連利害関係者にまで及ぶ広範な用途がある。
【図面の簡単な説明】
【０００６】
【図１】マインドフルネス技法に基づいて行動変容を促すシステムの一態様の概略説明図である。
【図２Ａ】図１の行動変容を促すシステムのシステム運用の一態様を示す図である。
【図２Ｂ】マインドフルネス技法の概念化の一態様を示す図である。
【図３】マインドフルネス摂取型デバイス用の投与デバイスの一態様の図である。
【図４】マインドフルネス摂取型デバイス用の投与デバイスの一態様の図である。
【図５】マインドフルネス実験の結果のグラフ表示である。
【図６】ムードマイナー技法（ｍｏｏｄ  ｍｉｎｅｒ  ｍｅｔｈｏｄｏｌｏｇｙ）の一概念化を示す図である。
【図７】友達からの支援技法（ｈｅｌｐ  ｆｒｏｍ  ｍｙ  ｆｒｉｅｎｄｓ  ｍｅｔｈｏｄｏｌｏｇｙ）の一概念化を示す図である。
【図８】健康食摂取約束技法（ｃｏｍｍｉｔ  ｔｏ  ｈｅａｌｔｈｙ  ｅａｔｉｎｇ  ｍｅｔｈｏｄｏｌｏｇｙ）の一概念化を示す図である。
【図９】マッチド技法（ｍａｔｃｈｅｄ  ｍｅｔｈｏｄｏｌｏｇｙ）の一概念化を示す図である。
【図１０】行動変容を促す方法を示す図である。
【図１１】両端に配置された異種金属を有する事象表示システムの一態様を示すブロック図である。
【図１２】同じ末端に配置され、非伝導材料で分離された異種金属を有する事象表示システムの別の態様を示すブロック図である。
【図１３】図１１の事象表示システムが導電性液体と接触し、作動状態にある場合の導電性流体を通るイオン移動または電流経路を示す図である。
【図１４Ａ】図１３の異種材料の表面の分解組立図を示す図である。
【図１４Ｂ】ｐＨセンサーユニットを有する図１３の事象表示システムを示す図である。
【図１５】図１１および図１２のシステムで使用される制御デバイスの一態様を示すブロック図である。
【図１６】一態様による受信機に存在してもよいコヒーレント復調用復調回路の機能ブロック図である。
【図１７】一態様よる受信機内のビーコンモジュールの機能ブロック図である。
【図１８】一態様による受信機に存在してもよい異なる機能モジュールのブロック図である。
【図１９】一態様による受信機のブロック図である。
【図２０】一態様による受信機の高周波信号チェーンのブロック図である。
【図２１】一態様による、信号受信機および摂取可能な事象マーカーを含むシステムの使用を示す図である。
【発明を実施するための形態】
【０００７】
本開示は、マインドフルネスに基づいて行動変容を促進するデバイス、システム、および方法に関する複数の態様を提供する。以降でさらに詳細に示すように、本開示のシステムおよび方法を使用して、種々の有益な結果を伴う持続可能な行動変容を促すことができる。例えば、治療結果の改善、広範な社会的慣習、種々の受取人への有益な寄付、医療資源の堅実な使用などの結果に繋がる可能性がある。
【０００８】
種々の態様では、マインドフルネスは、感情的マインドフルネス（例えば、仏教の瞑想の感覚における）を意味し、これは、ストレスおよびうつ状態などと戦って、ポジティブな気持ちを高めるのに非常に効果的であることが解っている。また、用語のマインドフルネスは、肉体と精神の両方の全ての活動と動きにおける気づきおよび注意を意味する。
【０００９】
一態様では、本開示は、心理的および技術的機序を活用することにより、マインドフルネスおよび行動変容を促進する摂取可能な医薬品に関する。示した態様では、本開示によるデバイス、システム、および方法は、本明細書では、マインドフルネス技法と呼ぶことができる。
【００１０】
種々の態様では、本開示は、１つ以上の下記要素を含むマインドフルネス技法の種々の態様を提供する。一態様では、個人は、マインドフルネスの出来合いのシステムを購入するか、または摂取可能な医薬品の与えられた意味合いを個人的に選択して、システムを特定のニーズに適合させることにより、マインドフルネスの願望または必要性を見極める。別の態様では、個人は、他の技術の中でも特に、標識、パッケージング、および着色剤などの手段により、摂取可能な医薬品に意味を付与する。これは、例えば、医薬品の一部として、または個人により行われてもよい。別の態様では、個人は、マインドフルネスを維持し、マインドフルネス摂取可能な医薬品を摂取する時期を見極め、どのマインドフルネス摂取可能な医薬品が必要かを選択する。別の態様では、個人は、マインドフルネス摂取可能な医薬品を摂取したことによる即時的な心理的利益を経験する場合もある。この原因は、例えば、プラセボ効果、マインドフルネスの効果、マインドフルネス状況に対する自分自身の制御に気付く方向への考え方の変化を持つことの効果などである。別の態様では、システムは、任意選択の応答を与えてもよい。例えば、システムは、いつマインドフルネス摂取可能な医薬品が摂取され、何の意味合いをマインドフルネス摂取可能な医薬品に持たせたかを知ることができる。システムは、個人のソーシャルネットワークとの接続、個人への直接接続、個人の環境の変更、追跡システムへのデータ投稿などに対し種々の方法で応答できる。別の態様では、長期データに対し分析学を採用して、可能な場合は予測的、および介入的技術を付加して、個人が、それらの行動への洞察を得るのを支援することができる。この場合、マインドフルネス技法の使用中に集めたバイオメトリクスデータは、特に有用となろう。
【００１１】
本明細書で使われる「偽薬」マインドフルネス技法は、個人の意思、約束などの指標または忘備録の機能を果たす、例えば、プラセボ、ビタミンなどの「意図薬」のシステムを提供する。意図薬は、グループ参加、共感リレー、治療模擬薬などの一部として、個別プログラムとして摂取できる。例を挙げると、個人は、友人が治療計画に従って所定の薬物を摂取する必要がある各時間にプラセボを摂取することを約束し、それを摂取できる。「同時摂取」の約束および連帯行為の両方は、友人の誓約および進捗の真の支援を示し、また、個人が友人に継続した支援を与えるのに役立つ。
【００１２】
意図薬は、物事が個人のために変化するきっかけになる、彼らや他の人に対し個人の意志を明確にする、個人に能力を得たと感じさせる、個人に対し目標へ到達させるなどのことを可能とする。グループ参加は、個人にあたかもそのことがより大きな大義、例えば、グループ招待の一部かのように感じさせ、参加に対する個人の理由を強化し、個人が同じ考えの人と繋がるのを支援することができる。共感リレーにより、個人の友人に対する支援を与え、友人のために何かすべきことを個人に与え、個人の支援を示し、友人のために引き続く支援を提供するなどが可能となる。治療模擬薬は、個人の状態を悪化させる回避行動、選択などに関し個人の支援を行い、個人がその人生で治療計画により派生したさまざまな問題を経験するのを支援し、それらの行動を変え、前出の行動変容などに関連して起こり得る結果を避ける理由を個人に与えることができる。偽薬技法は、人の行動変容などを増進することができる。
【００１３】
実施例には、マインドフルネス促進データ、例えば、摂取事象データの生成が含まれる。マインドフルネス促進データは、技法モジュールに関連したウェブサイトに送信される。技法モジュールは、マインドフルネス促進データを処理して対応する健康食摂取約束技法を特定できる。指示モジュールは、指示を開始してプログラムおよび関連システムが約束に関連するフェイスブックまたはツイッターなどのソーシャルメディア上にコメントを作成し、重要な忘備録をタイミングよく生成し、また、所定の状態のときには、成果に関する祝賀コメントをフェイスブックに投稿し、ツイッターでつぶやき、フェイスブックに「いいね」を送信し、ショートメッセージサービス（ＳＭＳ）メッセージまたはマルチメディアメッセージサービス（ＭＭＳ）メッセージなどのテキストメッセージを送信し、および／または電子メールを送信することができる。
【００１４】
過敏性腸症候群（ＩＢＳ）試験などの最新の試験に基づくと、プラセボ効果は、プラセボとして標識した場合（欺きがないプラセボ）でも有効に作用したことは理解されよう。過敏性腸症候群の人の最近の試験によれば、プラセボ効果は、市販の主要な薬物と殆ど同じに有効に作用した。彼らが摂取した薬物が、他の場合にはプラセボとされる「偽物」であることを知らされた場合でも、結果は同じであることがわかった。研究者は、薬物がプラセボであることを知っていた場合にも、プラセボが多くの人に有効に作用するように思われることに驚いた。実際、試験によれば、プラセボ薬が有効成分を含まず、不活性の物質から作製され、さらに、用語の「プラセボ」が実際にビンに印刷されていることが、確実に被験者に明らかにされていた。さらに、彼らは、プラセボ効果を信じず、薬物をただ摂取するのみとすることさえ告げられていた。例えば、ｗｏｒｌｄ−ｗｉｄｅ−ｗｅｂサイト：ｃｂｓｎｅｗｓ．ｃｏｍ／８３０１−５０４７６３＿１６２−２００２６４８３−１０３９１７０４．ｈｔｍｌへの投稿を参照されたい。便宜上、および解りやすくするために、本明細書で使われる用語の薬物は、活性医薬品、処方または店頭での薬剤、ビタミン、ならびにプラセボを記述するために使用できるが、これらに限定されない。
【００１５】
種々の態様では、マインドフルネス技法は、感情に基づくマインドフルネス薬（例えば、意志力、幸福）、または他のダイエットなどの特定の個人の願望に基づくマインドフルネス薬の使用を含んでもよく、薬は、食物摂取を追跡すること、および各人に自分たちの食習慣をさらによくわからせ、注意を払わせることの両方を支援するであろう。さらに、バイオメトリクスデータを使用して、特定のマインドフルネス事象を取り巻く個人の身体状態を理解すること、およびフィードバックして各人が調節するのを支援することの両方を行うことができる。例えば、個人は、睡眠または運動パターンと感情的調節との間の相関を知ることができる。また、マインドフルネス技法は、以下でさらに詳細に記載されるように、重要な表示、インタラクティブまたは適応型目標設定、およびマインドフルネスおよび行動変容をさらに動機付ける社会的要素を備えた充実したインターフェイスを含んでもよい。
【００１６】
大まかに言って、マインドフルネス技法の種々の態様は、マインドフルネスに基づいて行動変容を促進するために、デバイス、例えば、摂取可能なデバイス、プロセッサ、携帯電話、コンピュータ、高度計測器などと組みあわせた種々のシステムと方法を含む。
【００１７】
マインドフルネス技法の態様は、例えば、マッチングドネーション、競合探究（ｃｏｍｐｅｔｉｔｉｖｅ  ｐｕｒｓｕｉｔ）、アバターベース手法（ａｖａｔａｒ−ｂａｓｅｄａｐｐｒｏａｃｈ）、家庭中心（ｆａｍｉｌｙ−ｃｅｎｔｒｉｃ）ゲーム、ストレス追跡と緩和（ｔｒａｃｋｉｎｇ  ａｎｄ  ａｌｌｅｖｉａｔｉｎｇ  ｓｔｒｅｓｓ）、怒り、悲しみ、および無気力／仕事をしたくないことなどに関連するスキーマを含んでもよい。一態様では、マインドフルネス技法に関連する摂取可能なデバイス対応薬（活性またはプラセボ）は、ネガティブな感情を追跡し、また、軽減するために、販売者（例えば、薬剤師、医師、薬局）が「解毒剤」としてカスタム標識または前標識してもよい。一態様では、標識は、ストレスに対しては「集中」、怒りに対しては「平静」、悲しみに対しては「幸福」、および無気力／仕事をしたくないことに対しては「意志力」などの文字を含む。摂取可能なデバイス対応薬の一態様は、以降で考察される。
【００１８】
さらに、本開示によるマインドフルネス技法は、個人の感情に対して高レベルのマインドフルネスを高め、「先制起動（ｐｒｅ−ｅｍｐｔｉｖｅ  ｐｏｗｅｒ  ｕｐ）」を与えて、困難な仕事またはストレス要因に早期に立ち向かわせることができる。そうしている間に、個人は、「高ストレス」または「悲観的」レベルにならないようにできる。
【００１９】
マインドフルネス技法の種々態様は、既存の自動化システムと組み合わせ、および／またはその利用を可能とする。既存システムは、例えば、コンピュータ化システム、ソーシャルネットワークとメディア、健康管理ネットワークなどを含んでもよい。
【００２０】
通常では、個人の道程は、（１）慢性疾患の治療のための治療計画にて開始する段階、（２）治療計画および例えば、食事、睡眠、運動などの他のポジティブライフスタイルの選択に従い、それらを遵守するためのよい習慣と選択を樹立する日常生活に入る段階、ならびに（３）治療および疾患進行の難所と困難な時期、または慢性疾患の管理と健康の維持を進展させ続けることの困難さを切り抜ける段階、の３つの主要段階を経て進むのであろう。本開示の態様は、創造的な自動化技法の新規使用により、個人の道程におけるこれらの段階のそれぞれの持続的行動変容および持続的強化の形成メカニズムを作り出すことができる。
【００２１】
１つのこのような技法は、本明細書記載のマインドフルネス技法に基づいてマインドフルネス促進および行動変容を容易にする。マインドフルネス技法の下で、マインドフルネス促進の個人的行為、例えば、薬物またはプラセボなどの医薬品の摂取行為は、利他主義的な目標へのマッチングに繋がる。個人的行為、例えば、摂取事象の実際の確認は、個人の記憶、個人の報告、スマートパッケージングまたはボトルなどの代用行為を使うのとは対照的に、このようなシステム作業実施の先行作業である。
【００２２】
種々の態様でマインドフルネス技法を使用して、持続性行動変容および継続的強化に対する形成メカニズムを以下のようにして作り出すことができる。
【００２３】
一態様では、「スタートアップ（Ｇｅｔ  Ｍｅ  Ｓｔａｒｔｅｄ）」マインドフルネス技法は、真薬でも、プラセボであっても、薬がプラセボであることを個人が知らされたかどうかに関わらず、また、個人がプラセボ効果を信ずるように勧められたかどうかに関わらず、医師により既に処方されている薬を摂取するだけで、身体と精神の両方の全ての活動および動きにもっと気付き、注意するようになりたいという個人の願望を活性化する。
【００２４】
一態様では、「日常行為（Ｇｅｔ  Ｍｅ  ｉｎｔｏ  ａ  Ｒｏｕｔｉｎｅ）」マインドフルネス技法は、個人に短期間の強化を行い、毎日および時折の薬摂取の日常的仕事を、別のヒトを助けるというさらに感動的な動機づけに繋げる。また、マインドフルネス技法は、個人と彼らに類似の他の人とを繋ぎ、どのようにして、マインドフルネス技法プログラムにおける他の個人グループの薬摂取が、インドの結核症を終わらせること、または隣接都市の恵まれない小児に薬物を与えることなどの大義を支えているかを示すことができる。
【００２５】
一態様では、「難所克服（Ｇｅｔ  Ｍｅ  ｔｈｒｏｕｇｈ  ｔｈｅ  Ｒｏｕｇｈ  Ｓｐｏｔｓ）」マインドフルネス技法は、個人が、治療、薬物の副作用で停滞しているか、または自分の状態に落胆し、欲求不満になっている場合に、活動を続け、軌道に乗せ、さらに、ポジティブルーチンから離脱することが無いようにより高い目標と動機づけを与える。
【００２６】
一態様では、マインドフルネス技法、重要な社会的効果（支援を必要としている個人または対象）および経済的結果（別の寄付製品の実際の財務的価値）が個人使用者の決断により生成され、それにより、「寄付取引」が検証され、定量化されるはずである。実際の行為、例えば、実際の摂取の直接測定は、医薬品の概念の一部である。直接測定は、以降で考察される種々のデバイスにより実現できる。
【００２７】
例を挙げると、いずれかの個人またはグループが摂取事象を知らせる一体型の摂取可能なデバイスを有する薬物を摂取する（このようなデバイスの例は、例えば、２０１１年７月１２日公開の「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」という名称の米国特許第７，９７８，０６４号に記載されている。下記参照）。一体型デバイスは、関連するマインドフルネス技法データ、例えば、マインドフルネス促進データ、個人の特定、薬物のタイプ、摂取時間、および投与量の情報をプロセッサおよび特定のソフトウェアを有するコンピュータまたは携帯型デバイスに送信する。ソフトウェア／プロセッサは、マインドフルネス促進データを処理し、所定の行動変容技法を特定すると、ソフトウェア／プロセッサは、対応する指示を生成し、特定行動変容技法に関連するソフトウェアを開始する。
【００２８】
一例では、マインドフルネス促進データは、薬物を摂取した個人を特定する。ソフトウェア／プロセッサは、データベースまたは他の保存メディアをチェックし、特定した個人が対応する行動変容技法プログラムを所定の位置に持っているかどうかを判断する。このようなプログラムが所定の位置にあることがわかると、例えば、個人がマインドフルネス技法を選択していることがわかると、ソフトウェア／プロセッサは、例えば、ソフトウェアプログラムを開始する指示を生成し、身体および精神の両方のすべての活動と動きに個人の気付きと注意を高める。
【００２９】
一例は、困っている個人への薬物の用量の「マッチング」の気付きおよび注意の提供であってよい。従って、個人による医薬品の摂取時に、第２の指定医薬品（または複数の医薬品）の別の個人、グループまたは対象への「１対１」または「１対多数」の提供が起こる。
【００３０】
例えば、米国マサチューセッツ州ボストン在住のＨＩＶ+ の個人は、自身が処方通りに自分の薬を摂取する度に、別のケニヤのナイロビ在住のＨＩＶ+ の個人にＨＩＶ薬を提供するためのマインドフルネス技法を始めることができる。彼らの医師から「告げられた」という理由で、または、より長い期間の健康報酬が得られる、もしくは疾患進行の恐怖という個人的感覚（これは、遵守に関する科学文献が立証しているメンタルモデルであるが、慢性疾患の大部分の個人の薬物治療の遵守の持続の支援に失敗した）という理由で、薬物を摂取するよりも、マインドフルネス技法は、困っている別の個人を助けるという短期間の、感動的な目標を作り出すことにより、ボストンの個人が薬を毎日摂取する行為を支援し、強化する。
【００３１】
マインドフルネス技法は、抽象概念（今後１０年間この薬を毎日摂取すれば、長生きできる）を受け入れる困難を確実性（この薬を今日摂取すれば、今日他の誰かを助けることができる）で置き換える。時が経つにつれて、このポジティブな毎日の強化は、何らかの理由で個人的に処方通りに薬を摂取できなかったということにより、ボストンの個人がナイロビの個人に与え続けてきた支援が停止することになるかもしれないというネガティブ強化により同程度に補完される可能性がある。このネガティブ強化は、ボストンの個人の医薬品使用と遵守をさらに強化し、持続させる。
【００３２】
マインドフルネス技法は、さらに、使用者による彼らの医薬品の持続的で増加した使用を、医薬品製造者が既に、共同責任、慈善事業への寄付、および世界的健康プログラムの一部として携わっているというポジティブな社会的大義に結び付けるのを可能とする。例えば、ボストンの個人のためのＨＩＶ薬を製造している医薬品会社は、マインドフルネス技法を、その会社の世界的ＡＩＤＳプログラム、およびゲイツ財団、クリントン・グローバル・イニシアチブ、ＷＨＯおよび他の政府支援プログラムとその会社との仕事に繋げ、その会社の高価なＨＩＶ薬を十分なサービスを受けていない場所の人に利用できるようにでき、また、その会社が既にこのようなプログラムに委ねている薬剤供給をボストンの使用者のような個人の摂取事象に繋げることができる。これは、強化の好循環を形成し、ボストンの使用者は、医薬品会社のＨＩＶ薬に対する遵守を強め、持続させ、医薬品会社は、その会社の世界的ＨＩＶ薬剤アクセスプログラムのさらなる認知度およびその会社の主要市場での信用を勝ち取り、さらに、使用者と医薬品会社は、新規ＨＩＶ薬ブランドに基づいて新規のポジティブな相互関係を形成し、ＨＩＶ薬それ自体の特許の消滅のような事態を乗り越えてこの関係を長続きさせることができる。
【００３３】
さらに、マインドフルネス技法に基づく使用者／医薬品会社の関係の性質は、独特で、有用なものであり、使用者が医薬品会社に操作され、要求が多すぎ、管理されていると感じることもある、使用者向けの（ＤＴＣ）広告から生じた現在の認識に比べて、個人は、今や、医薬品会社を指示し、管理していると自ら認識できる。
【００３４】
さらに、マインドフルネス技法は、この戦略を支える真に世界的な健康インフラを持つことができるようになるよりはるか前に、会社が世界的健康戦略を持つことを可能にできる。譲受人のＰｒｏｔｅｕｓ  Ｂｉｏｍｅｄｉｃａｌ，Ｉｎｃ．，Ｒｅｄｗｏｏｄ  Ｃｉｔｙ，ＣＡ，ＵＳＡのような小さい会社が、生存可能な影響力を持つことができ、また、これらの地域に商業施設を持つことができるようになる前でも、ケニヤ、中国、およびインドのような国々の世界的健康ニーズに寄与できる。
【００３５】
またさらに、マインドフルネス技法は、教会グループまたは専門組織、例えば、相互扶助トラック運転手組織などのドナー自身の共同体へのドネーションバックを促進できる。
【００３６】
マインドフルネス技法は、さらに、個人摂取決定と薬物供与と社会的大義の間の連関に基づいて、使用者と医薬品製造者がオンライン社会共同体を形成するのを可能とする。組織化は個人の行為の認知された影響を増やすという理由から、個人参加者と受益者をグループに編成することにより、動機づけを強めることができる。例えば、ウェブサイトは、ボストンの個人の効果およびマインドフルネス技法プログラムで他のＨＩＶ+ の人々の共同体が築き上げてきた実績の両方を示すことができる。このような社会的共同体は、ボストンの個人のような人に対するさらなる強化効果を持つことができる。このグループを介した、ダイナミックな支援とパフォーマンスが遵守のための行動変容のもう一つの推進力になり、さらに、大きな共同体が大義に与えることができる積み重ねた効果は、いずれかの個人が自らで実行できることをはるかに越える感動的なものになる。
【００３７】
マインドフルネス技法は、個人を自身の病状に関連するただ１つの大義と関連付ける必要はなく、または、ましてや健康関連大義などと関連付ける必要は全く無く、医薬品製造者または使用者自体は、自らの個人的摂取に合わせて選択できる複数の大義および社会的問題を生成してよい。当業者なら気付くように、個人および彼らのオンライン社会グループが、認識、意味、および動機づけを形成するために、大義の数とこれらの大義を可能とするマインドフルネス技法の使用は、例えば、（ａ）個人が歩数目標に到達すると、１足の靴が困っている人に寄贈される、または地雷で四肢を失った人を助けるために寄付がなされる、（ｂ）個人の睡眠持続期間の目標に到達すると、困っている人に対し睡眠に安全な場所を提供できる住居プロジェクトに寄付が行われる、（ｃ）糖尿病性の個人が、自分の栄養または体重低減目標に達すると、食物を困っている人々に寄贈できる（「１ポンド減らす度に、１ポンドの食物が寄贈される」）、および（ｄ）その他のこれらの組み合わせなどのように、多くて、かつ、様々であってよい。
【００３８】
一態様では、マインドフルネス技法は、さらに、オンライン社会共同体にまで拡張し、個人またはグループを他の人々またはグループに繋げてもよい。この態様では、個人に対する動機づけは、疾患、状況および生活のそれぞれの認識に関する筋書きおよび観察を共有する個人および受取人の能力により形成される。この社会的連携は、静的であってもよく、例えば、ボストンの個人は、ナイロビの個人に関する経歴および身の上話を読むことができ、加えて、動的で、対話的であってもよく、例えば、ボストンとナイロビの個人はツイッター、フェイスブック、ＳＭＳまたはＭＭＳメッセージング、電子メールなどの種々のソーシャルメディアおよびネットワークを介して最新状況の対話を行うことができる。
【００３９】
マインドフルネス技法は、さらにデバイス対応薬物を受けていない個人の使用者、または全く個人ではない使用者も参加可能にできる。種々の態様では、システムおよび／または方法は、（１）単独で摂取される、（２）個人による摂取を知らせるデバイス対応ではない薬剤と同時摂取される、（３）個人またはいずれかの他の使用者により任意の時間に摂取されるなどの種々の環境下でいずれかの個人により摂取され得るデバイス対応プラセボまたはビタミン錠剤を含むことができる。
【００４０】
例えば、副作用およびウイルス耐性問題の理由で、ボストンの個人の医師が異なるＨＩＶ薬に切り替え、その薬が摂取を知らせるデバイス対応ではないとする。ボストンの個人は、マインドフルネス技法プログラムに強い関連性を感じ、彼の遵守が形成されつつあるという個人的利益を認識するようになっている。薬剤師が、マインドフルネス技法プログラムへの彼の参加を継続可能とする、薬物が含まれないマインドフルネス技法錠剤、例えば、デバイス対応プラセボがあることを告げると彼は満足する。また、彼らが将来的には彼に適するようにできる他のデバイス対応薬を彼らのポートフォリオのために開発または取得する一方で、ボストンの個人との彼らの間の関係を継続できるという理由から、彼の古い薬物を製造した医薬品会社も満足している。
【００４１】
別の例は、資金調達または支援事象のために、マインドフルネス技法に関心がある非個人使用者または支援グループである。例えば、がん協会のための資金調達をしているグループは、年１回のサイクリングライドチャリティ資金集めのパーティーをマインドフルネス技法に繋ぐことができ、ここでは、参加者は全員そのシステムを使いながら自転車に乗れるようになるまで数ヶ月間訓練し、レースが終わると使用は終了する。この例では、２，０００人の個人の資金調達ライドは、毎日の訓練活動を行い、プラセボ摂取を全てチャリティで募金するマッチングドナー提供者に繋げてもよい。３番目の例では、ファミリーケア提供者は、最愛の人に薬剤摂取が必要なあいだ、同じ時間にデバイス対応プラセボを摂取して、薬剤遵守を認識または気付かせることにより、その人の慢性疾患の最愛の患者に支援を示す。この態様は、ファミリー支援を形成し、また、ファミリーの努力を彼らが選択したマインドフルネス技法の大義に結び付け、それにより、ファミリーグループは、積み重ねた支援に彼らの大義を見出すことができる。
【００４２】
さらに、医薬品製造者は、利他的要素を医薬品マーケティングプログラムに含めることにより、さらに大きな数のより好ましい支払人との協定を結ぶことができる。利他主義は、支払人グループの他のメンバーにも適用でき、例えば、メンバーが処方ガイドラインに従って摂取すると、別のメンバーが健康保険の自己負担分を支払うことができるか、または支払人自ら割引してもらうことができる。
【００４３】
種々の態様では、マインドフルネス技法には、様々な事象、例えば、個人による乱用、「もっと良く」しようとして薬物を処方量より多く摂取することにより起こりうる状況、またはドナーによる突然の薬物使用停止などの発生に対し保護する、および／またはそれらの発生時に所定の保護行為を取る設計規定がある。
【００４４】
一例では、マインドフルネス技法は、個人が多くもなく少なくもない処方用量を摂取する場合にのみ気付きと注意を高めることができる。種々の態様では、このチェックを、処方薬に関連するデバイス、例えば、各送達事象での用量、投与時間、投与タイプを送信するデバイス対応薬、シリンジ、吸入器などにより送信されたマインドフルネス促進データに対し、処方薬の投与量と頻度を示す保存データとソフトウェア／プロセッサで比較することにより自動で行うことができる。別の例では、独立のサードーパーティが医薬品製造者の代わりにマインドフルネス技法プログラムを管理してもよい。さらに別の例では、システム／方法は、停止事象を自動的にモニターし、例えば、医薬品会社に代わって薬物供給を中断しないで継続するなどの所定の行動が取られることを保証する。
【００４５】
（システム環境）
マインドフルネス技法の種々の態様を説明する前に、本開示は、ここで、マインドフルネス技法を実施できるシステムの説明を行うこととする。ここで図１を参照すると、行動変容を促すシステム１００の概要が示されている。これには、デバイスで生成された、および／またはデバイスからもしくはデバイスへ送信されたマインドフルネス技法データまたは健康促進データ１０２、ソフトウェア／プロセッサに接続されてマインドフルネス技法データ１０２に関連する少なくとも１つの行動変容技法を特定する技法モジュール１０４、およびソフトウェア／プロセッサに接続されて特定された少なくとも１つの行動変容技法を開始する指示モジュール１０６が含まれる。任意選択で、また、種々の態様では、追跡／フィードバックモジュール１０８が、マインドフルネス技法データ１０２、行動変容技法、行動変容技法の開始などに関連する追跡、および／またはフィードバックを行うことができる。任意選択で、また、種々の態様では、予防措置モジュール１１０が予防、是正、または他の措置を開始できる。
【００４６】
例えば、図２Ａおよび２Ｂを参照すると、図１の行動変容を促すシステム１００のシステム操作、マインドフルネス技法の一概念化がそれぞれ示されている。前出のマインドフルネス技法の例示への言及を続けると、個人２００が、活性またはプラセボのデバイス対応薬（図示せず）を摂取し、これが、摂取時間や個人識別情報などのマインドフルネス技法データ１０２を個人の検出デバイス（図１６〜図２１）に送信する。検出デバイスは、例えば、オンボディ接着性通信パッチ（図示せず）として実装できる。また、この例では、検出デバイスは、生理的データ、例えば、心拍数、心拍変動、安息角などのマインドフルネス促進データを収集する。
【００４７】
検出デバイスは、技法モジュール１０４、指示モジュール１０６、およびデータベース２０４を含む本明細書で第１のサーバー２０２として示すハブへのその後の通信のために、組み合わされたマインドフルネス技法データ１０２を個人の携帯電話に転送する。
【００４８】
種々の態様は、サーバー２０２、または他のこのようなハブデバイスを含む。本明細書で使われる用語のハブは、通常、マインドフルネス技法データ１０２を通信するように機能するいずれかのハードウェアデバイス、ソフトウェア、および／またはコミュニケーション部品、ならびにシステム、サブシステム、およびこれらの組み合わせを含む。マインドフルネス技法データ１０２の通信は、マインドフルネス技法データ１０２の受信、保存、操作、表示、処理、および／または送信を含む。また、種々の態様では、ハブは、非マインドフルネス技法データを通信、例えば、受信および送信するよう機能する。ハブの広範な範疇には、例えば、ベースステーション、個人通信デバイス、および携帯電話が含まれる。ハブや他のデバイスの例は、２０１１年１月１３日公開の「ＩＮＧＥＳＴＩＢＬＥ  ＥＶＥＮＴ  ＭＡＲＫＥＲ  ＤＡＴＡ  ＦＲＡＭＥＷＯＲＫ」という名称の米国特許公開第２０１１−０００９７１５Ａ１号で考察されている（下記参照）。
【００４９】
技法モジュール１０４は、ボストンの個人２００の識別子を含むマインドフルネス技法データ１０２を処理する。注意すべきは、マインドフルネス技法データ１０２、技法モジュール１０４、および／または他のシステム部品は、マインドフルネス促進または技法データ１０２が１つ以上の技法に関連付けられているか否かを判断するために、名前などの個人識別子、割り付けた数字などの匿名識別子、または他の識別子を使用できる。技法モジュール１０４は、識別子を使用して、データベース２０４中の保存情報と比較し、個人２００が１つ以上の技法の参加者であるかどうかを判断する。この例では、技法モジュール１０４は、マインドフルネス技法データ１０２を処理し、個人２００に関連するものとして、また、マインドフルネス技法プログラムを選択した参加者のものであるとしてデータを特定する。
【００５０】
指示モジュール１０６は、第２のサーバーにより実行されるデータベース２０４として本明細書で示されるデータシステム上で、プログラム２０６を開始し、ナイロビの個人２０８への薬物の提供を促進する。プログラム２０６は、技法、例えば、寄付を管理するのに必要な１つ以上の機能を提供する、例えば、１つ以上のソフトウェアアプリケーションであってもよい。例えば、マインドフルネス技法ソフトウェアアプリケーションは、１つ以上のシステムのネットワーク、システム、システム部品、および／またはデバイスと情報をやり取りして、受取人に対する寄付に関する最新情報、例えば、受取人の素性、薬のタイプ、日付および受取人への配達方法、薬提供薬局２１０、受取人に対する投薬指示、寄付をする製造者／ドナーなどに関する情報を提供できる。
【００５１】
種々の態様では、１つ以上のハブは、マインドフルネス技法データ１０２を、単独または他のデータと組み合わせて、直接または間接的に、１つ以上のデータシステムに保存、操作、および／または転送する。データシステムは、いずれかのハードウェアデバイス、ソフトウェア、および／または通信部品、ならびにそれらのシステムおよびサブシステムを含み、これらは、通常、マインドフルネス技法データ１０２に関連するサービスまたは動作、例えば、マインドフルネス技法ソフトウェアアプリケーションに対する指示を与えるプログラム２０６を提供するように機能する。
【００５２】
例には、さらに、追跡／フィードバックモジュール１０８および予防措置モジュール１１０を備えた第３のサーバー２１２を含む。独立にまたは相互運用可能なように相互に動作することにより、追跡／フィードバックモジュール１０８と予防措置モジュール１１０は、いずれか１つ以上の種々の送信源、例えば、個人の携帯電話、技法モジュール１０４、指示モジュール１０６、プログラム２０６、薬局システム２１０、および／または他の発信源からのデータを受信する。
【００５３】
追跡／フィードバックモジュール１０８は、個人ドナー、ドナーグループ、寄付される対象などに関するデータの受信、収集等を行い、１つ以上の技法に関連するフィードバックを、種々の利害関係者、例えば、ドナー、製造者、および受取人に関連するネットワーク、コンピュータ、デバイスなどに提供する。
【００５４】
予防措置モジュール１１０は、システムの使用に関連する境界条件、事象などに関するデータを、受信したり、モニターしたり、処理したりなどする。１つのこのような範疇のデータは、過剰摂取、不足摂取、不正確な投与回数などを避けるための正しい薬物摂取のモニタリングである。例えば、マインドフルネス技法データ１０２は、特定の薬物のタイプおよび投与頻度に関する情報を含んでもよい。予防措置モジュール１１０は、このようなデータを、個人２００およびナイロビの個人２０８に対する投与量指示を含むデータベース２０４中の保存データと比較できる。不一致があった場合、予防措置モジュール１１０は、個人２００、健康ケア提供者、薬局２１０などに対して、適切な警告、連絡などを生成し、投薬が処方投与計画に準拠するように戻すか、またはその計画内にあるままに維持することを確実にできる。
【００５５】
マインドフルネス技法データ１０２は、個人の身体および精神的の両方の健康のすべての活動と動きの気付きおよび注意を促進、維持、確立、改善などに関連するいずれかの、および全てのデータを含んでよい。マインドフルネス技法データ１０２は、明示的に、機械対応の、例えば、有形の機械または機械部品から生成されるデータ、それにより読み込まれるデータ、それに書き込まれるデータ、その上にまたは内部に保存するデータ、それからまたはそれへ送信するデータ、および／またはそれにより処理することができるデータ、例えば、自動化可能なデータを明示的に含む。機械および機械部品の例には、現在既知の、または将来提供される予定のコンピュータネットワーク、コンピュータ、保存メディア、通信デバイス、処理デバイス、回路などが含まれる。データ内容の例には、個人識別データとしての、例えば、薬物、プラセボ、ビタミン、食糧などの医薬品のタイプ、製造者、量、時間、および送達モードが含まれる。送達モードの例には、経口、注剤、吸入、注入、経皮、および挿入が含まれる。マインドフルネス促進データ１０２を生成するデバイスの例には、摂取可能なデバイス、インテリジェントシリンジ、インテリジェントＩＶバッグ、インテリジェント吸入器、インテリジェント注入器およびカテーテル、データ受信機と検出器、例えば、個人用ヘルスコンパニオン、スマートパッケージング、記憶および忘備録ツール、血圧測定用カフ、計り、血糖計、運動ツールおよびデバイス、食習慣追跡デバイス、医用および病院デバイス、および他の健康促進デバイスが含まれる。スマートシリンジおよび注射事象の例には、例えば、「ＢＯＤＹ−ＡＳＳＯＣＩＡＴＥＤ  ＲＥＣＥＩＶＥＲ  ＡＮＤ  ＭＥＴＨＯＤ」という名称で２０１２年２月１４日に公開された米国特許第８，１１４，０２１号で考察されているものが含まれる（下記参照）。インテリジェント吸入器および吸入事象の例には、「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」という名称で２０１０年８月１３日に出願された米国特許仮出願第６１／３７３，８０３号で考察されているものが含まれる（下記参照）。本明細書で使われる用語の「健康促進デバイス」は、１つ以上の健康関連パラメータ、例えば、心拍数、心拍変動、安息角、加速度計データ、摂取事象、注射事象、吸入事象、注入事象、徐放製剤放出事象などの正確な測定ができるいずれかのデバイス、部品などを意味する。これは、個人で記録されたままの測定値、事象の個人入力推定値などのより主観的に得られたデータとは対照的なものである。
【００５６】
種々の態様は、非薬物および薬物様医用デバイスならびにモニタリング医薬品にまで及び、この場合、医学的、気付き及び注意関連治療法に対する遵守を行うことにより、個人的決定または選択を利他主義的な目標および関連寄付に繋げることができたり、支援を示すことができたりなどする。例えば、補聴器、歩数計、体重計、血圧測定用カフ、血糖測定器などの着用、および／または使用は、すべてマインドフルネス技法を有効にでき、個人的決定、選択および生理的状態のいずれかのセンサー対応測定、例えば、心拍数、睡眠、活動性、呼吸、食事及び血糖、コレステロール、クレアチニンなどの分子パラメータの検知パラメータは、マインドフルネス技法に繋げることができる。別の例は、マインドフルネス技法に対応する食物消費及びカロリー摂取のいずれかの評価であり、この場合、目標（より低いカロリー摂取などの）が、マインドフルネス技法プロセスを推進する。別の例は、喫煙停止であり、この場合は、消費されているタバコまたは関連製品の減少を示すデバイスが、マインドフルネス技法により、個人により消費されなかった製品毎に寄付をすることを可能とする。
【００５７】
前出のデバイスの例は、限定されないが、「ＰＨＡＲＭＡ−ＩＮＦＯＲＭＡＴＩＣＳ  ＳＹＳＴＥＭ」という名称の２００８年１１月２０日公開の米国特許公開第２００８−０２８４５９９Ａ１号、「ＰＨＡＲＭＡ−ＩＮＦＯＲＭＡＴＩＣＳ  ＳＹＳＴＥＭ」という名称の２００９年９月１０日公開の米国特許公開第２００９−０２２７２０４Ａ１号、「ＩＮＧＥＳＴＩＢＬＥ  ＥＶＥＮＴ  ＭＡＲＫＥＲ  ＤＡＴＡ  ＦＲＡＭＥＷＯＲＫ」という名称の２０１１年１月１３日公開の米国特許公開第２０１１−０００９７１５Ａ１号、「ＨＩＧＨ−ＴＨＲＯＵＧＨＰＵＴ  ＰＲＯＤＵＣＴＩＯＮ  ＯＦ  ＩＮＧＥＳＴＩＢＬＥ  ＥＶＥＮＴ  ＭＡＲＫＥＲＳ」という名称の２０１２年１月１９日公開の米国特許公開第２０１２−００１１６９９Ａ１号、「ＩＮＧＥＳＴＩＢＬＥ  ＥＶＥＮＴ  ＭＡＲＫＥＲＳ  ＣＯＭＰＲＩＳＩＮＧ  ＡＮ  ＩＤＥＮＴＩＦＩＥＲ  ＡＮＤ  ＡＮ  ＩＮＧＥＳＴＩＢＬＥ  ＣＯＭＰＯＮＥＮＴ」という名称で２０１０年１１月１８日に国際公開第ＷＯ２０１０／１３２３３１号として公開された２０１０年５月１０日出願の国際出願第ＰＣＴ／ＵＳ１０／３４１８６号、「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」という名称の２００９年３月２６日公開の米国特許公開第２００９−００８２６４５Ａ１号、「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ」という名称の２０１１年３月３日公開の米国特許公開第２０１１−００５４２６５Ａ１号「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」という名称の２００９年３月２６日公開の米国特許公開第２００９−００８２６４５Ａ１号、「ＣＯＭＭＵＮＩＣＡＴＩＯＮ  ＳＹＳＴＥＭ  ＷＩＴＨ  ＰＡＲＴＩＡＬ  ＰＯＷＥＲ  ＳＯＵＲＣＥ」という名称の２０１１年７月１２日公開の米国特許第７，９７８，０６４号、「ＢＯＤＹ−ＡＳＳＯＣＩＡＴＥＤ  ＲＥＣＥＩＶＥＲ  ＡＮＤ  ＭＥＴＨＯＤ」という名称の２０１２年２月１４日公開の米国特許第８，１１４，０２１号、「ＣＯＮＴＲＯＬＬＥＤ  ＡＣＴＩＶＡＴＩＯＮ  ＩＮＧＥＳＴＩＢＬＥ  ＩＤＥＮＴＩＦＩＥＲ」という名称で２００８年５月２日に国際公開第ＷＯ２００８／０５２１３６号として公開された国際出願第ＰＣＴ／ＵＳ２００７／０８２５６３号、「ＡＣＴＩＶＥ  ＳＩＧＮＡＬ  ＰＲＯＣＥＳＳＩＮＧ  ＰＥＲＳＯＮＡＬ  ＨＥＡＬＴＨ  ＳＩＧＮＡＬ  ＲＥＣＥＩＶＥＲＳ」という名称で２００８年５月２９日に国際公開第ＷＯ２００８／０６３６２６号として公開された国際出願第ＰＣＴ／ＵＳ２００７／０２４２２５号、「ＬＯＷ  ＶＯＬＴＡＧＥ  ＯＳＣＩＬＬＡＴＯＲ  ＦＯＲ  ＭＥＤＩＣＡＬ  ＤＥＶＩＣＥＳ」という名称で国際公開第ＷＯ２００８／０６６６１７号として２００８年６月５日に公開された国際出願第ＰＣＴ／ＵＳ２００７／０２２２５７号、「ＩＮＧＥＳＴＩＢＬＥ  ＥＶＥＮＴ  ＭＡＲＫＥＲ  ＳＹＳＴＥＭＳ」という名称で国際公開第ＷＯ２００８／０９５１８３号として２００８年８月７日に公開された国際出願第ＰＣＴ／ＵＳ２００８／０５２８４５号、「ＩＮ−ＢＯＤＹ  ＰＯＷＥＲ  ＳＯＵＲＣＥ  ＨＡＶＩＮＧ  ＨＩＧＨ  ＳＵＲＦＡＣＥ  ＡＲＥＡ  ＥＬＥＣＴＲＯＤＥ」という名称で国際公開第ＷＯ２００８／１０１１０７号として２００８年８月２１日に公開された国際出願第ＰＣＴ／ＵＳ２００８／０５３９９９号、「ＩＮ−ＢＯＤＹ  ＰＯＷＥＲ  ＳＯＵＲＣＥ  ＨＡＶＩＮＧ  ＭＵＬＴＩ−ＤＩＲＥＣＴＩＯＮＡＬ  ＴＲＡＮＳＭＩＴＴＥＲ」という名称の国際公開第ＷＯ２００８／１１２５７７号として２００８年９月１８日に公開された国際出願第ＰＣＴ／ＵＳ２００８／０５６２９６号、「ＩＮ−ＢＯＤＹ  ＰＯＷＥＲ  ＳＯＵＲＣＥ  ＨＡＶＩＮＧ  ＤＥＰＯＬＹＡＢＬＥ  ＡＮＴＥＮＮＡ」という名称の国際公開第ＷＯ２００８／１１２５７８号として２００８年９月１８日に公開された国際出願第ＰＣＴ／ＵＳ２００８／０５６２９９号、国際公開第ＷＯ２００９／０４２８１２号として２００９年４月２日に公開された国際出願第ＰＣＴ／ＵＳ２００８／０７７７５３号、「ＰＨＡＲＭＡ−ＩＮＦＯＲＭＡＴＩＣＳ  ＳＹＳＴＥＭ」という名称で２００８年１１月２０日公開された米国特許公開第２００８−０２８４５９９Ａ１号、「ＩＮＧＥＳＴＩＢＬＥ  ＥＶＥＮＴ  ＭＡＲＫＥＲ  ＤＡＴＡ  ＦＲＡＭＥＷＯＲＫ」という名称で２０１１年１月１３日公開された米国特許公開第２０１１−０００９７１５Ａ１号、「ＳＭＡＲＴ  ＰＡＲＥＮＴＥＲＡＬ  ＡＤＭＩＮＩＳＴＲＡＴＩＯＮ  ＳＹＳＴＥＭ」という名称で２００９年５月７日公開された米国特許公開第２００９−０１１８５９４Ａ１号、「ＡＣＯＵＳＴＩＣ  ＰＨＡＲＭＡ−ＩＮＦＯＲＭＡＴＩＣＳ  ＳＹＳＴＥＭ」という名称で２０１２年２月２１日公開の米国特許第８，１２１，０００号、ならびに「ＳＹＳＴＥＭ  ＡＮＤ  ＭＥＴＨＯＤ  ＦＯＲ  ＤＥＬＩＶＥＲＹ  ＡＮＤ  ＤＥＴＥＣＴＩＯＮ  ＯＦ  ＡＮ  ＩＮＨＡＬＡＢＬＥ  ＤＯＳＥ」という名称の２０１０年８月１３日出願の米国特許仮出願第６１／３７３，８０３号、および「ＳＹＳＴＥＭ，ＭＥＴＨＯＤ  ＡＮＤ  ＡＲＴＩＣＬＥ  ＴＯ  ＰＲＯＭＰＴ  ＢＥＨＡＶＩＯＲ  ＣＨＡＮＧＥ」という名称で２０１１年１月１０日出願の米国特許仮出願第６１／４３１，４１６号、に記載のものを含む。前出の特許のそれぞれは、参照によってその全体が援用される。
【００５８】
技法モジュールおよび指示モジュールは、本明細書記載の機能を実行できる限り、独立型であれ、他のモジュールとの一体型であれ、または複数のデバイスなどであれ、ソフトウェア、ハードウェア、ファームウエアまたはこれらの組み合わせのいずれかの実装を含む。モジュールのどちらか、または両方が、部品、デバイス、コンピュータ、ネットワークまたは通信デバイスのネットワークなどに、例えば、常駐してもよく、それらから実行可能でもよく、それらによって表示可能でもよいなどのように、それらに関連付けられてもよい。
【００５９】
（マインドフルネス技法）
本開示によるマインドフルネス技法は、摂取行為から得られる感情的報酬に加えて、豊富なフィードバックを与える強力な技術の組み合わせを提供する。摂取行為は、気分を制御でき、より着実に自らをモニターできるという強力な自信を個人にもたらす。これは、マインドフルネス技法の有用な態様である。理由は、このことが、個人が気分追跡の目的で彼らの携帯電話からシステムにデータを提供するのを単純にするためである。また、マインドフルネス技法は、個人への有意義な即時フィードバックを与える。これらや他の態様は、以降で考察される。
【００６０】
一態様では、マインドフルネス技法は、それぞれ図３および図４に示すようなマインドフルネス摂取可能なデバイス用投与デバイス３００、４００に関連付けて説明できる。図３を参照すると、前述のように、プラセボ効果によって、ＩＢＳ試験では、プラセボもまた、プラセボとして標識された（ごまかしがないプラセボ）場合でも、有効に作用することが明らかになった。従って、マインドフルネス技法の一態様では、本明細書でマインドフルネス摂取可能なデバイスと呼ばれるプラセボを含んでもよいマインドフルネス促進デバイスは、投与デバイス３００中に実装できる。投与デバイス３００は、摂取可能なデバイスを含む複数の区画３０２を含む。図３に示すように、一態様では、摂取可能なデバイスは、感情的マインドフルネス摂取可能なデバイスの月次供給用の３１の個別ブリスター包装区画内に含まれる。他の態様では、他の、例えば、隔週、毎週供給用などのカスタマイズ包装が含まれる。標識ブリスター包装区画３０４は、標識してもよい（例えば、特に、意志力、集中、平静、幸福など）。開かれたブリスター区画３０６は、マインドフルネス摂取可能なデバイス用投与デバイス３００が使用前に保管されていた場所を示す。ヘッダ部分３１０は、個人に関する情報を識別するために用意される。
【００６１】
一態様では、摂取可能なデバイスは、装着型電子パッチなどの外部受信機／検出器と通信し、個人により摂取された摂取可能なデバイスのタイプ、および摂取時間と日付スタンプを記録するように構成されている摂取可能な事象マーカー（ＩＥＭ）などの事象マーカーを含んでもよい。種々の実施可能なＩＥＭの態様を、下記の図１１〜図１５に示し、種々の実施可能な受信機／検出器の態様を下記の図１６〜図２１に示す。一態様では、プラセボは、例えば、ＩＥＭなどの事象マーカーを含む摂取可能なデバイスとして構成でき本明細書では、例えば、ＩＥＭ対応プラセボ薬と呼ぶことができる。一態様では、ＩＥＭ対応プラセボ薬は、配布者または個人使用者、例えば、患者または使用者により標識できる。例えば、個人は、個人ブリスター区画３０２内の位置にＩＥＭ対応プラセボ薬を予め充填した、または予め実装した投与デバイス３００を受け取ることができる。個人ブリスター区画３０２は、個人により取得される場合は、標識しなくてもよい。従って、個人は、投与デバイス３００の未標識のブリスター区画３０８に標識を割り付けて、ＩＥＭ対応プラセボ薬の目的を識別してもよい。
【００６２】
一態様では、ＩＥＭ対応プラセボ薬は、個人が追跡、および／または軽減したいネガティブな感情に対し「解毒剤」と標識してもよい。ここで図４を参照すると、一態様では、マインドフルネス摂取可能なデバイス用投与デバイス４００は、複数の標識個人ブリスター区画を含んでもよい。「集中」の標識の区画は、ストレスタイプのＩＥＭ対応プラセボ薬４０２（集中薬４０２）を含む。「意志力」の標識の区画は、無気力／仕事をしたくないタイプのＩＥＭ対応プラセボ薬（活力薬４０４）を含む。「平静」の標識の区画は、怒りタイプのＩＥＭ対応プラセボ薬（平静薬４０６）を含む。「幸福」の標識の区画は、悲しみタイプのＩＥＭ対応プラセボ薬（幸福薬４０８）を含む。
【００６３】
本開示によるマインドフルネス技法の一態様は、プラセボ効果の使用である。多くの疾患に対し、個人が助けてくれると信じているか、またはそう思っている砂糖の錠剤の摂取は、実際に個人の症状を軽減することがわかっている。また、医用デバイスの装着は、たとえスイッチが切られていても、個人の健康を支援できることもわかっている。さらに、前に考察したように、ＩＢＳ試験は、個人がプラセボを与えられ、それがプラセボであり、本物の薬物ではないことを告げられた場合、それでもプラセボは、症状を軽減するのに有効であることが明らかになった。従って、薬摂取の医学的儀式との何らかの心理的関連が存在する。
【００６４】
これを念頭に置いて、受け取ったＴｉｃ−Ｔａｃｓの商品名で知られる小さい白色の甘い砂糖様キャンディで、「意志力」と標識された包装の食事を与えられる人の場合について実験を行った。実験に参加している各個人は、１日を切り抜けるのに必要と思う各個人の意志力の大きさに対応する量のＴｉｃ−Ｔａｃｓを毎朝食べた。結果は、人々が、単なるダイエットを越えて拡大した「強化された意志力」を経験したということであった。実験を拡張するために、例えば、追跡と戦いの両方に対し４つのネガティブな感情を標的とした。マインドフルネス技法を実験で採用し、個人に気付きまたは注意をさせ、また、ネガティブな感情を追跡した。さらに、摂取の儀式が、特定されたネガティブな意識的感情と戦うための感情的「強化」の感覚を個人に与える。
【００６５】
一態様では、プラセボの砂糖様キャンディは、摂取可能な技術、例えば、Ｐｒｏｔｅｕｓ  Ｂｉｏｍｅｄｉｃａｌ、Ｉｎｃ、Ｒｅｄｗｏｏｄ  Ｃｉｔｙ、ＣＡ、ＵＳＡで使用可能な技術で置換または補充可能であり、この場合、摂取可能なデバイスは、可搬性デバイス（例えば、可搬型デバイスの中でも特に、携帯電話、スマートホン、タブレットコンピュータ、ラップトップ、パーソナルデジタルアシスタント）と直接に、または装着型電子パッチなどの受信機／検出器を使用して通信するように構成されている。一態様では、摂取可能なデバイスは、個人がそれらの可搬型デバイスと通信するのを可能とし、それらが摂取されると信号を送ることを可能とし、可搬型デバイスと接続しているＩＥＭ対応摂取可能なデバイスを気分追跡システムに変えるＩＥＭ対応摂取可能なデバイスを含むことができる。また、さらに、ＩＥＭ対応摂取可能なデバイスを採用して、実験を通して装着されている受信機／検出器を介して、実験期間中の個人の心拍数、活動レベル、および睡眠の長さと質を追跡できる。
【００６６】
マインドフルネス技法技術の一態様は、個人が自分の健康をより効率的に管理するのを支援するものであるが、別の態様では、この技術を、気分追跡システムの異なる方式に採用できる。一態様では、ＩＥＭ対応摂取可能なデバイスを、ネガティブな感情に対する「解毒剤」として採用できる。従って、摂取時には、ＩＥＭ対応摂取可能なデバイス薬は、その特定（「ＩＤ」）情報を、直接に、または受信機／検出器パッチを経由して可搬型デバイスに送信し、また、個人が薬を摂取した直後に、支援対象の行動変容を促すシステム１００に連絡するように構成される。このように、ＩＥＭ対応摂取可能なデバイス薬、および／または受信機／検出器パッチと組み合わせて、個人の携帯電話を使用して、気分追跡システムを実装できる。以下でさらに詳細に記載するように、「感情」薬（例えば、マインドフルネス摂取可能なデバイス薬４０２、４０４、４０６、４０８）を使用して１週間の実験を行った。さらに、ＩＥＭ対応摂取可能なデバイス薬、可搬型デバイス、および／または受信機／検出器パッチシステムは、活動性、睡眠、および薬物タイミングの統合データを与えるように構成できる。
【００６７】
従って、使用時、個人は、行動変容を促すシステム１００（図１）に加えて、マインドフルネス摂取可能なデバイス用投与デバイス４００を採用して、かれらの感情をモニターし、個人がネガティブな感情を感じる場合、対応する解毒剤マインドフルネス摂取可能なデバイス薬４０２、４０４、４０６、４０８を摂取できる。使用の中、行動変容を促すシステム１００は、個人のバイオメトリクスデータ、ならびにマインドフルネス摂取可能なデバイス薬４０２、４０４、４０６、４０８のそれぞれの時間刻印付き摂取をモニターするように構成される。
【００６８】
実験では、個人は、自転車で通勤の間に、個人がネガティブな感情を感じる場合、解毒剤マインドフルネス摂取可能なデバイス薬４０２、４０４、４０６、４０８を摂取するように指示された。解毒剤マインドフルネス摂取可能なデバイス薬は、集中薬４０２、意志力薬４０４、平静薬４０６、および幸福薬４０８と標識された非医薬品プラセボ「スマートピル」（例えば、ＩＥＭ対応摂取可能なプラセボデバイス）であった。個人が自転車通勤中に、制御したい、または戦いたいという思いがだんだん強くなるネガティブな感情を持った場合、個人は、薬４０２、４０４、４０６、４０８の内の１つを摂取するように指示された。集中薬４０２、意志力薬４０４、平静薬４０６、および幸福薬４０８ＩＥＭ対応摂取可能なデバイスは、摂取後、直接に、または電子受信機／検出器（例えば、装着型電子パッチ）を経由して、個人の可搬型デバイスに通信するように構成された。
【００６９】
さらに、自転車通勤の間に、個人は、個人の行為を駆り立てたと思われる「活力の強化を活用するには、もっと速く自転車に乗るべきである」などの特有の薬関連の考えを経験することが観察された。また、意志力薬４０４マインドフルネス摂取可能なデバイスを摂取後、意志力薬４０４マインドフルネス摂取可能なデバイスが彼らの血流に届き、個人がその力を個人がネガティブな感情を制御するのを支援するために使用し始める前に、ネガティブな感情を「満喫する」時間枠（例えば、１０分）を持つことができるように感じる場合がある。さらに、個人の感情に向かう高レベルのマインドフルネスは、個人に「予防的強化」を与え、困難な仕事またはストレス要因に早い段階で対処することができる。そうすることにより、個人は、「高ストレス」または「悲観的」レベルのネガティブな感情に達するのを避けることができる。自転車通勤の例全体を通し、個人は、平静または幸福マインドフルネス摂取可能なデバイス薬４０６または４０８を使用しなかった。自転車通勤の例の間、個人は、集中および意志力マインドフルネス摂取可能なデバイス薬４０２および４０４のみを使用した。これは、仏教徒のマインドフルネス瞑想の効果と密接に関連しているので、特に興味深い。
【００７０】
図５は、マインドフルネス実験の結果のグラフ表示である。図５の自転車通勤マインドフルネス実験の結果は、水平軸に沿って自転車通勤実験が行われた日を示す（例えば、７／９、７／１０、７／１１、７／１２、７／１３など）上段のグラフ５０２を含む。行動変容を促すシステム１００（図１）により得られたステップ数、睡眠開始、睡眠停止、および心拍数中央値は、上段グラフ５０２の垂直軸に沿って示されている。これらの値は、追跡／フィードバックモジュール１０８（図１）により記録される。下段のグラフ５０４は、個人が意志力マインドフルネス摂取可能なデバイス薬４０４を摂取した時間を示す。事象は、各マインドフルネス摂取可能なデバイス薬の摂取に付けられた日付と時間の刻印に対応させて、水平軸に沿って表示される。下段のグラフに示されるように、水平軸に沿って示される期間中、個人が、集中マインドフルネス摂取可能なデバイス薬４０２を参照番号５１２の標識の事象で、また、意志力マインドフルネス摂取可能なデバイス薬４０４を参照番号５１４の事象で摂取したことが下段グラフ５０４上に示されている。
【００７１】
図５の生の実験データから、自転車通勤時に、個人が集中薬４０２または意志力薬４０４を前に摂取した場合、個人は、自転車乗車でより高い平均心拍数であったことが判断できる。上段グラフ５０２により示されるように、最大の心拍数スパイクは、個人が集中薬４０２を摂取後に発生した。例えば、自転車通勤実験では、自転車通勤の間、個人が自転車通勤開始前に集中薬４０２または意志力薬４０４を摂取すればいつでも、個人は自転車乗車のためにより高い平均心拍数を持つようにマインドフルネス技法が採用された。実際、データは、最大心拍数スパイクが、意志力薬４０４の摂取後に発生したことを示す。
【００７２】
自転車通勤実験の結果によると、個人は、平静薬４０６または幸福薬４０８よりも、主として集中薬４０２および意志力薬４０４に重点を置いた。このことが、その日の目標の全てを達成するように常に関与、後援を続け、個人に計画を最後までやり通させた。この概念は、例えば、練習をサボらないこと、自転車に乗ること、雑用をすることなどの他の活動にも拡張できる。この集中のために、例えば、悲しみ、ストレス、および／または怒りなどの個人が避けたいと思った他のネガティブな感情が洗い流された。個人は、直面している仕事についての感情に気付き、自らに「予防的強化」を与え、困難な仕事またはストレス要因に早い段階で対処するであろう。そうすることにより、個人は、「高ストレス」または「悲観的」レベルに達するのを避けた。一実験では、このような予防的強化により、個人が幸福薬４０８または平静薬４０６を摂取する必要性が否定され、集中薬４０２と意志力薬４０４のみが摂取された。
【００７３】
一態様では、マインドフルネス摂取可能なデバイス薬４０２、４０４、４０６、４０８は、集中薬４０２、意志力薬４０４、平静薬４０６、および幸福薬４０８タイプＩＥＭ対応プラセボ薬のそれぞれのタグを使用して予約設定できることは理解されよう。予約設定されたマインドフルネス摂取可能なデバイス薬４０２、４０４、４０６、４０８は、個人により単に摂取されるだけで、行動変容を促すシステム１００（図１）が、マインドフルネス摂取可能なデバイス薬４０２、４０４、４０６、４０８に関連する予約設定タグを読み取ることにより、個人が制御しようとしているネガティブな感情を特定できる。
【００７４】
別の態様では、マインドフルネス摂取可能なデバイス薬４０２、４０４、４０６、４０８は、予約設定されず、投与デバイス４００中に実装される場合に、個人により意味を標識または割り当てられるように、実質的に全て同じプラセボ薬である。この構成では、個人は、摂取可能なデバイス薬４０２、４０４、４０６、４０８のいずれを摂取したかを、行動変容を促すシステム１００（図１）に連絡する。これは、摂取可能なデバイス薬４０２、４０４、４０６、４０８関連の対応する情報をデータ受信機／検出器（例えば、装着型電子パッチ）または可搬型デバイスに入力することにより行うことができる。
【００７５】
さらに、上記例では、摂取可能なデバイスは、主に「プラセボ」として記載されたが、本開示は、この文脈に限定されない。従って、マインドフルネス摂取可能なデバイス用投与デバイス３００、４００は、プラセボ、活性医薬品、ビタミンを、単独で、またはそれらのいずれかの組み合わせとして含んでもよいことは理解されたい。さらに、摂取可能なデバイスは、予約設定しても、そうでなくてもよく、限定されない。
【００７６】
従って、本開示によるマインドフルネス技法の態様は、個人の気分の追跡用の有効な技術を提供する。プラセボであれ、他のものであれ、個人がマインドフルネス摂取可能なデバイスを摂取することから受ける即座の満足感は、個人に彼らがどのように感じるかのモニタリングを継続する即座の動機を提供し、時間をかけて集めた全データセットは、個人がさらに多くの洞察に満ちた発見と決断を行うことを支援できる。従って、マインドフルネス技法の技術は、個人にとって有効なフィードバックツールになる。従って、マインドフルネス技法は、有効なフィードバックツールを提供する。
【００７７】
他の態様では、マインドフルネス摂取可能なデバイスの摂取は、ネガティブな気分の追跡を越えるモニター条件に適用できる。例えば、糖尿病の個人は、マインドフルネス技法を採用して、活力の激しい低下を追跡し、または個人的な特殊な「強化」薬を設計して、個人がより気付いて、より制御した状態になりたいと思っている特定の課題を克服するのを支援できる可能性がある。
【００７８】
またさらに、個人がマインドフルネス技法の技術を使用して、より強力にフィードバックするようにできる多くの方法が存在する。例えば、個人が幸福薬４０８を摂取する度に、個人の可搬型デバイスは、個人のソーシャルネットワークと交信し、電話をかけて欲しいことを他の人に知らせるアプリケーションソフトウェアで構成できる。他の態様では、例えば、個人が散歩に行く、またはとなりの犬に寄り添うなどのネガティブな気分を感じる場合、特定のタスクに携帯電話を送信できる。
【００７９】
さらに、個人がマインドフルネス技法の技術を使用してより強力にフィードバックするようにできる多くの方法が存在する。例えば、個人が幸福薬４０８を摂取する度に、個人の携帯電話で個人のソーシャルネットワークに通知し、電話をかけて欲しいことを人々に知らせることができる。携帯電話は、個人が、ネガティブな気分である、散歩に行きたい、または隣の犬に寄り添いたいときに、個人に特定のタスクを送信するように構成できる。従って、マインドフルネス技法は、個人の気分を追跡するのみならず、自分の健康を改善する力も個人に与える。
【００８０】
本明細書で上記のように、種々の態様では、マインドフルネス技法は、個人の気分の追跡をするのみでなく、彼または彼女の健康を改善する力も与えることができる。この方式では、本開示によるマインドフルネス技法は、目的のマインドフルネスの利益を与えるのみよりも多くのものを行うことができる。例えば、アプリケーションを、データの最上部に層状に重ねて、より有効なポジティブ行動変容を形成できる。
【００８１】
一態様では、本開示によるマインドフルネス技法は、行動変容を促進するのみでなく、摂取可能なデバイスの摂取に起因する、（１）プラセボまたは注意効果と、次に（２）システム応答との２つの効果を与える。従って、個人は、摂取可能なデバイス薬４０２、４０４、４０６、４０８を摂取し、システム１００による応答動作を生じさせる。例えば、個人が薬剤を嚥下すると、システム１００は、自動的に、ツイッターにつぶやきを送信し、フェイスブックに「いいね」を送信し、ＳＭＳまたはＭＭＳメッセージを送信し、および／または電子メールを送信する。一態様では、これらのシステム１００の動作のそれぞれは、最終的にある所望の動作を達成できる連鎖に繋げることができる。種々の態様では、このようなシステム１００の応答は、例えば、対象物またはパターンが、それを複製するいくつかの原因物質を誘発し、産生されて周辺に広がる多くの複製物を生じ得る場合の何らかのウイルス現象に関連して、巨大な力強さを作り出すことができる。例えば、自動電子メールメッセージにより、他の人に送信する毎日のジョーク、ラブレター、またはポイントのセット（例えば、薬を摂取すると、個人の孫に報酬のポイントを与える）などの応答を生成する場合、特に、これが起こりうる。
【００８２】
（ムードマイナーマインドフルネス技法（ｍｏｏｄ  ｍｉｎｅｒ  Ｍｉｎｄｆｕｌｎｅｓｓ  ｍｅｔｈｏｄｏｌｏｇｙ））
一態様では、マインドフルネス技法は、図６に示すムードマイナー技法を含むことができる。一態様では、マインドフルネス技法のムードマイナー技法態様は、客観的尺度、ならびに便利な方法での主観的入力を集めるシステムを提供する。ムードマイナー技法は、個人の運動、睡眠、および薬剤遵守の間のパターンおよび関連性を主観的入力により特定し、それらの間の関係性を可視化し、挙動の選択をより適切なものとする。長期的な主観的入力を客観的身体測定値との比較により、なぜ個人がそのように感じるかについての正しい直感的理論に役立つ驚くべきパターンが明らかにされる。個人の理論を調節することにより、さらにすぐれた行動のためのより強力な固有の動機づけ要因を考慮することが可能となる。
【００８３】
実装の例には、マインドフルネス促進データ１０２、例えば、睡眠データ、薬物摂取データ、および運動データ、ならびに主観的データの生成が含まれる。主観的データ生成は、種々の方法により行うことができる。一例では、個人の携帯電話６０２のアプリケーションが種々の色のコンセントリックリング６０４を表示する。各色は、個人の相対的感覚、感情、自己評価などを表す。個人は、条件に合った色６０６を選択し、アプリケーションは、主観的データを生成する。マインドフルネス促進データ１０２は、関連技法モジュールを有する個人の電話アプリケーションに送信される。技法モジュール１０４は、データ１０２を処理し、対応するムードマイナー技法を特定できる。指示モジュール１０６は、指示を開始し、それにより、プログラム２０６および関連システムがデータ１０２のパターンを解析し、そのパターン、関連する見通しなどを意味付けして表示する。
【００８４】
（友達からの支援マインドフルネス技法（ｈｅｌｐ  ｆｒｏｍ  ｍｙ  ｆｒｉｅｎｄｓ  Ｍｉｎｄｆｕｌｎｅｓｓ  ｍｅｔｈｏｄｏｌｏｇｙ））
一態様では、マインドフルネス技法は、個人７０２が友人７０４から支援を得る部品を含むことができる。一態様では、図７に概念的に示すような友達からの支援技法は、例えば、摂取事象を知らせる摂取可能なデバイスを含む薬物を摂取することにより、個人のパーソナルネットワークからの支援の約束を容易にできるシステムを提供する。個人７０２が、彼または彼女が支援を必要とする（または必要かもしれない）と感じる場合、個人７０２は、ツイッターのつぶやき、ＳＭＳまたはＭＭＳメッセージ、フェイスブックの通知または投稿、電子メールなどを通じてこの事実を指定ネットワークに通知する薬を飲むことができる。その後、個人の友人／ファミリーメンバーは、援助、激励、または共感を提供できる。事象マーカーを摂取することによる自動的、かつ容易な支援ネットワークの始動により、個人が遵守の難所を乗り切ることを支援し、遵守からの離脱を防ぐことができる可能性がある。
【００８５】
実装の例には、マインドフルネス促進データ１０２、例えば、薬物事象データの生成が含まれる。マインドフルネス促進データは、技法モジュールに関連するウェブサイトに送信される。技法モジュール１０４は、マインドフルネス促進データを処理し、対応する友達からの支援技法を特定できる。指示モジュール１０６は、指示を開始し、それによりプログラム２０６および関連システムが重要な通知、メッセージなどを生成できる。
【００８６】
（健康食摂取約束マインドフルネス技法（ｃｏｍｍｉｔ  ｔｏ  ｈｅａｌｔｈｙ  ｅａｔｉｎｇ  Ｍｉｎｄｆｕｌｎｅｓｓ  ｍｅｔｈｏｄｏｌｏｇｙ））
一態様では、マインドフルネス技法は、個人が健康食摂取を約束する部品を含むことができる。一態様では、図８に示す健康食摂取約束技法は、約束薬および忘備録により健康食習慣を促すシステムを提供する。１日の開始時に、個人８０２は、例えば、特定の数の植物または果実食を食べる個人の約束を示す付属の摂取可能なデバイスを持つプラセボ、ビタミンなどの薬を摂取し、この約束は、ソーシャルメディア、例えば、フェイスブックページ、ツイッターアカウント、ＳＭＳまたはＭＭＳメッセージ、電子メールなどに記述される。各食事時間になると、受信機／検出器パッチ８０４は、振動を与えて約束を思い起こさせ、正しく食べたことを確認すると、フェイスブックのウォールに達成が投稿（公表）され、８０６、８０８、および８１０に示されるように、ツイッターでのつぶやき、およびＳＭＳまたはＭＭＳメッセージ、電子メールを介して送信される。約束を公表することにより、個人は、それらの達成に向けたより多くの義務を感ずる。さらに、毎日のスタート時での健康食摂取行動を計画することにより、個人８０２が食事に関してより注意を払うようになる。
【００８７】
（マッチドマインドフルネス技法（ｍａｔｃｈｅｄ  Ｍｉｎｄｆｕｌｎｅｓｓ  ｍｅｔｈｏｄｏｌｏｇｙ））
一態様では、図９で概念的に示されているマッチド技法は、不具合、目標、ニーズなどに基づいて、最適支援グループを形成するメンバーを選択するシステムを提供する。個人の薬物および養生法に対する遵守、ならびに収集された個人的データに関する情報を使用して、このシステムは、グループの人は、類似の（または可能性としては、相補的な）支援ニーズを持つ人々をグループ化し、最大利益を求めて、鼓舞し、つながりがあるグループを形成する。個人に意味があるよう適合された支援グループを提供することは、そのグループが有効になる潜在性、および未知の混成体のグループに参加することの恐怖を和らげる可能性の両方を高める。
【００８８】
実装の例には、マインドフルネス促進データ１０２、例えば、個人遵守データなどの生成が含まれる。マインドフルネス促進データは、技法モジュール１０４（図１）に関連するウェブサイトに送信される。技法モジュール１０４は、マインドフルネス促進データ１０２を処理し、対応するマッチド技法を特定できる。指示モジュール１０６は、指示を開始して、それにより、プログラムおよび関連システムは、所定の基準、例えば、疾患状態、養生法、薬物治療法などに基づいて、各個人９０２、９０４、９０６、９０８、９１０、９１２、９１４を９１６、９１８の人のグループに対応させて、支援グループメンバー間のオンラインネットワーキングフォーラムを推進できる。
【００８９】
（方法）
ここで図１０を参照すると、マインドフルネス１０００に基づいて行動変容を促す方法が示されている。種々の態様では、方法は、任意選択で（点線の輪郭線で示されている）ステップ１００２には、マインドフルネス促進データの生成（マインドフルネス促進デバイスによる）の最初のステップを含んでもよい。種々の態様では、方法は、次のプロセスを含むことができる。１００４は、プロセッサによりマインドフルネス促進データを受信するステップで、ここでは、マインドフルネス促進データは、個人による事前選択行動変容での気付きを特定するために、個人により割り当てられた意味に関連付けられる。１００６は、プロセッサによりマインドフルネス促進データを処理して、少なくとも１つの事前選択行動変容技法を特定するステップ、および１００８は、プロセッサにより対応する指示を生成し、特定された少なくとも１つの行動変容技法を開始するステップである。種々の態様では、方法は、任意選択で１つ以上の次のプロセスを含んでもよい。１０１０は、デバイスにより対応する指示を受けるステップ、１０１２は、システム部品を介してマインドフルネス促進データに関連するデータを追跡するステップ、１０１４は、システム部品を介してマインドフルネス促進データに関連するフィードバックを生成するステップ、および１０１６は、システム部品を介して、マインドフルネス促進データに関連する予防措置の指示を生成するステップである。
【００９０】
これまで考察したように、種々の態様では、本開示によるマインドフルネス技法は、種々の健康関連事象およびそれらの組み合わせ、例えば、摂取事象、注射事象、吸入事象、注入事象、健康モニタリング事象、身体活動事象、および食事事象に関連するデータを含むことができる。例えば、摂取事象に関連するマインドフルネス技法データは、摂取可能なデバイス、例えば、ＲＦＩＤ対応デバイス、電流変更デバイス、ＩＥＭ対応摂取可能なデバイスなどの摂取可能なデバイスにより生成できる。
【００９１】
行動変容マインドフルネス技法は、行動変容、例えば、健康関連課題、事象、治療法などに関連した望ましい持続可能な行動変容などの行動を促すように、また、例えば、原因を特定する、ファミリー支援情報を取得するなど、行動変容を促すことができる共感を生み出すように機能する種々の技法例を含む。前に考察した例の非包括的リストは、種々の方法、例えば、マインドフルネス技法、ムードマイナー技法、友達からの支援技法、および健康食摂取約束技法の態様に適用可能である。事前選択は種々のモード、例えば、参加者によるマニュアル選択、自動選択、これらの組み合わせなどであってよい。
【００９２】
例えば、マインドフルネス技法は、組み込むか、または他の方法で、支援が必要な個人または対象、経済的結果などに対する直接的または、間接的支援と関連付けることができる。この例では、マインドフルネス技法は、健康関連結果にポジティブな影響がある行動変容を行い、維持するように個人を動機づけするために、身体的および精神的両方の全活動および動きに対して、気付き、注意をされる必要がある個人または対象に共感を持って対応できる。
【００９３】
マインドフルネス技法は、検証可能な処理、例えば、ドナーおよび他の利害関係者へのコンピュータで生成されるフィードバック、数値化できる寄付、例えば、ドナーにより摂取された薬毎に寄付される２つの薬などを含むことができるが、必ずしも含む必要はない。
【００９４】
（物品）
種々の態様では、物品は、計算プラットホームによって実行される場合、ハブを介してマインドフルネス促進データを受信すること、ハブを介して少なくとも一部のマインドフルネス促進データを技法モジュールに送信すること、技法モジュールを介して健康促進データに関連する少なくとも１つの技法を特定すること、および、指示モジュールを介して特定された技法に関連する少なくとも１つの指示を生成することを含む、またはこれらから構成されるネットワークを介してマインドフルネス促進データを送信する方法を実行する指示を含む非一時的保存メディアを含んでもよい。
【００９５】
物品は、１つ以上の次のプロセスをさらに含んでもよい。ネットワーク部品を介してマインドフルネス技法に基づいてマインドフルネス促進データに関連するデータを追跡するステップ、ネットワーク部品を介してマインドフルネス技法に基づいてマインドフルネス促進データに関連するデータを生成するステップ、およびネットワーク部品を介してマインドフルネス技法に基づいてマインドフルネス促進データに関連する予防措置指示を生成するステップ。
【００９６】
本明細書で開示のいずれかの態様は、データ処理システム中で、またはデータ処理法、例えば、コンピュータ、プロセッサなどにより行われる指示上のステップにより行うことができる。例えば、一実施形態では、概略システムは、例えば、プロセッサ、メインメモリ、スタティックメモリ、バス、ビデオディスプレイ、英数字入力デバイス、カーソル制御デバイス、ドライブユニット、信号生成デバイス、ネットワークインターフェイスデバイス、機械可読メディア、指示およびネットワークを含む。
【００９７】
概略システムは、本明細書で開示の１つ以上の操作を行うことができるパーソナルコンピュータおよび／またはデータ処理システムであってもよい。プロセッサは、マイクロプロセッサ、状態機械、特定用途向け集積回路、フィールドプログラマブルゲートアレーなどであってよい。主メモリは、ダイナミックランダムアクセスメモリ、および／またはコンピュータシステムの主記憶デバイスであってよい。スタティックメモリは、ハードディスクドライブ、フラッシュメモリドライブ、および／またはデータ処理システムに関連する他のメモリ情報であってよい。
【００９８】
バスは、データ処理システムの種々の回路および／または構造間の相互接続であってよい。ビデオディスプレイは、データ処理システム上で情報のグラフ表示を提供できる。英数字入力デバイスは、キーパッド、キーボード、および／またはいずれかの他のテキスト入力デバイス、例えば、身体障害者を支援するための特殊デバイスであってもよい。カーソル制御デバイスは、マウスなどのポインティングデバイスであってよい。ドライブユニットは、ハードディスクドライブ、保存システム、および／または他の長期保存サブシステムであってよい。信号生成デバイスは、バイオス、および／またはデータ処理システムの機能操作システムであってよい。ネットワークインターフェイスデバイスは、コード変換、プロトコル変換および／またはネットワークもしくはそこからの通信に必要なバッファリングなどのインターフェイス機能を実行できるデバイスであってよい。機械可読メディアは、本明細書で開示のいずれかの方法を行うことができる指示を与えることができる。指示は、ソースコード、および／またはデータコードをプロセッサに与えることができ、１つ以上の本明細書で開示の操作を可能とする。
【００９９】
本態様は、具体的な例を基準として説明されてきたが、種々の実施形態の広範な趣旨および範囲を逸脱することなく、これらの態様に対し様々な修正と変更を行うことができることは明らかであろう。例えば、本明細書記載の種々のデバイス、モジュールなどは、ハードウェア回路、例えば、ＣＭＯＳベース論理回路、ファームウエア、ソフトウェア、および／またはハードウェア、ファームウエア、および／または、例えば、機械可読メディア中に埋め込まれたソフトウェアのいずれかの組み合わせを使用して使用可能で、操作可能である。
【０１００】
例えば、種々の電気的構造と方法は、トランジスタ、論理ゲート、および電気回路、例えば、特定用途向け集積回路（ＡＳＩＣ）を使用して、および／またはデジタルシグナルプロセッサ（ＤＳＰ）回路中で実施可能である。例えば、受信モジュールおよび通信モジュールならびに他のモジュールは、本明細書記載の１つ以上の技術を使用して実施可能である。
【０１０１】
さらに、本明細書で開示の種々の操作、プロセス、および方法は、データ処理システム、例えば、コンピュータシステムと互換性がある機械可読メディア、および／または機械アクセス可能メディアで実施可能であり、また、任意の順に行うことができることは理解されよう。従って、明細書および図は、制限的ではなく、例示的意図と見なされるべきである。
【０１０２】
例えば、上述のデバイスおよび方法に関連するいずれかの、または全てのデータを、単独で、または他のデータと組み合わせて使用して、マインドフルネス促進データ、例えば、マインドフルネス促進態様を有するデータを構成できる。
【０１０３】
特定の実施形態では、システムおよび／または方法のステップは、データを保存する要素、例えば、データ保存要素をさらに含み／利用し、この要素は、ベッドサイドモニター、ＰＤＡ、スマートホン、コンピュータサーバーなどの外部デバイス上に存在する。典型的な例では、データ保存要素は、コンピュータ可読メディアである。本明細書で使われる用語の「コンピュータ可読メディア」は、実行および／または処理のための指示、および／またはデータのコンピュータへの提供に関与する任意の保存または伝送媒体を意味する。保存メディアの例には、フロッピー（登録商標）ディスク、磁気テープ、ＣＤ−ＲＯＭ、ハードディスクドライブ、ＲＯＭまたは集積回路、光磁気ディスク、またはコンピュータ可読カード、例えば、ＰＣＭＣＩＡカードなどが含まれ、このようなデバイスは、コンピュータの内部にあっても外部にあってもよい。情報を含むファイルは、コンピュータ可読メディアに「保存」でき、「保存」は、後でコンピュータおよび／またはコンピュータ関連部品により、データにアクセスおよびデータの取り出しが可能であるように情報を記録することを意味する。コンピュータ可読メディアに関して、「永久メモリ」は、永久であるメモリを意味する。永久メモリは、コンピュータのプロセッサへの電源供給の停止では消去されない。例えば、仮想メモリとして使用されないコンピュータハードディスクドライブ、ＲＯＭ、ＣＤ−ＲＯＭ、フロッピーディスクおよびＤＶＤは、全て永久メモリの例である。ランダムアクセスメモリ（ＲＡＭ）は、非永久メモリの例である。永久メモリ中のファイルは、編集可能であり、再書き込み可能である。
【０１０４】
本態様は、薬物と非薬物摂取、投与および／または送達、例えば、接着性センサーパッチ、他の装着型センサー、デバイスインプラントおよび装着可能部品、非経口薬物送達デバイス、携帯電話など、ならびに、このような情報を表示、管理するデバイス（コンピュータ、携帯電話など）の検出パラメータを読み取りおよびモニタリングを行うどのような方法にも適用できる。
【０１０５】
さらに、種々の態様は、１つ以上のデータ融合機能を含むことができる。本明細書で使われる用語の「データ融合」は、データ統合などの、削減、置換、分析、または組み合わされたデータで改善結果が得られる他のこのようなデータ操作もしくは変更と連動したデータの組み合わせのプロセス、機能、発生、事象などを意味する。改善結果に繋がる例には、マインドフルネス促進データおよび分析により、マインドフルネス促進データに関連する個人が行動パターンを変え、改善された遵守の結果を生じたという合理的な推測が引き出せる１つ以上の前に記載の技法から得られたデータとの組み合わせが含まれる。
【０１０６】
また、上記方法を実行するための、例えば、ＩＥＭ、受信機、および他のシステム部品をプログラミングするための、プログラミングなどのコンピュータで実行可能な指示も提供される。コンピュータで実行可能な指示は、コンピュータ可読メディア上に存在する。従って、種々の態様は、摂取可能な事象マーカーデータの提供に使用されるプログラミング含有コンピュータ可読メディアを提供する。
【０１０７】
このように、特定の実施形態では、システムは、データ保存要素、データ処理要素、データ表示要素、データ伝達要素、通知機構、および個別インターフェイスの内の１つ以上を含む。これらの部品は、マインドフルネスデータ、ハブ、およびデータシステムの内の少なくとも１つであっても、または他の方法でこれらに関連付けされてもよい。
【０１０８】
上記システムの１つは、受信モジュールおよび通信モジュールの観点から考察される。しかし、態様は、そのように限定されるものではない。より広い意味では、システムは、例えば、上記で考察されたハブ機能を使用して、例えば、データシステムの機能を使用して通信中のマインドフルネスデータなどを使用して、相互に通信する２つ以上の異なるモジュールから構成される。
【０１０９】
ＩＥＭの種々の実施可能な態様を、以下図１１〜図１５に示す。ＩＥＭは、導電性液体と接触時に起動でき、事象に標識するためにコンダクタンスを制御できる部分電源を含むシステムであってよいことは、理解されよう。システムが、生命体に摂取される医薬品と共に使用される場合には、システムを含む医薬品が服用または摂取される場合、デバイスが身体の導電性液体と接触する。本開示のシステムが体液と接触する場合、電位が生成され、システムが作動される。一部の電源は、デバイスから供給され、残りの部分の電源は、導電性流体から供給される。すなわち、摂取されるとすぐに、システムは、体液と接触し、システムが作動される。システムは、電位差を使用して作動され、その後、コンダクタンスを調節して特有の、特定可能な電流シグネチャを生成する。作動すると、システムは、コンダクタンスを制御し、従って、電流フローを制御し、電流シグネチャを生成する。
【０１１０】
図１１には、対向末端上に配置された異種金属を有する摂取可能なデバイス事象表示システムの一態様をシステム１１３０として示す。システム１１３０は、上述のように、いずれの医薬品とも一緒に使用して、患者が、いつ、医薬品を摂取しているかを判断できる。上述のように、本開示の範囲は、システム１１３０と共に使用される環境および医薬品に限定されない。例えば、システム１１３０はカプセル内に置き、カプセルを導電性液体中に置いてもよい。カプセルは、時間をかけて溶解し、システム１１３０を導電性液体中に放出する。従って、一態様では、カプセルは、システム１１３０を含み、医薬品を含まない。従って、このようなカプセルは、導電性液体が存在し、いずれかの医薬品を含むいずれの環境で使用してもよい。例えば、カプセルは、ジェット燃料、塩水、トマトソース、自動車オイル、またはいずれかの類似医薬品で満たされた容器中に落としてもよい。さらに、システム１１３０を含むカプセルは、医薬品が服用されたときなどの事象の発生を記録するために、いずれかの医薬品が摂取されるのと同じ時間に摂取してもよい。
【０１１１】
医薬品と組み合わせたシステム１１３０の具体的な例では、医薬品または丸薬が摂食されるに伴い、システム１１３０が作動される。システム１１３０は、コンダクタンスを制御し、特有の電流シグネチャを生成する。その後、これが検出され、それにより、医薬品が服用されたことを知らせる。システム１１３０は、フレームワーク１１３２を含む。フレームワーク１１３２は、システム１１３０用のシャシであり、複数の部品がフレームワーク１１３２に取り付けられ、その上に沈着され、またはそれに固定される。システム１１３０のこの態様では、消化可能な材料１１３４を、フレームワーク１１３２と物理的に結合させる。材料１１３４は、フレームワークに化学的に沈着、蒸着、または固定されても、またはその上に組み立てられてもよく、これらの全てを、本明細書では、フレームワーク１１３２に対する「沈着（ｄｅｐｏｓｉｔ）」と呼ぶ場合もある。材料１１３４は、フレームワーク１１３２の片側に沈着される。材料１１３４として使える対象材料には、限定されないが、ＣｕまたはＣｕＩが含まれる。材料１１３４は、いくつかあるプロトコル中で、物理蒸着、電着、またはプラズマ蒸着、により沈着される。材料１１３４は、約０．０５〜約５００μｍの厚さ、例えば、約５〜約１００μｍ厚さであってよい。形状は、シャドウマスク蒸着、またはフォトリソグラフィーおよびエッチングにより制御される。さらに、ただ１つの領域のみが材料の沈着用に示されたにしても、各システム１１３０は、必要に応じて、材料１１３４を沈着することができる２箇所以上の電気的に特有の領域を含む場合もある。
【０１１２】
図１１に示すものとは反対側の異なる側面では、別の消化可能材料１１３６が沈着し、それにより、材料１１３４および１１３６は異種になる。図示してはいないが、選択された異なる側面は、材料１１３４に対し選択された側面に隣接する側面であってもよい。本開示の範囲は、選択された側面に限定されず、「異なる側面」という用語は、第１の選択側面とは異なる複数の側面のいずれかを意味してもよい。さらに、システムの形が正方形として示されていたとしても、形は、いずれの幾何学的に適切な形であってもよい。材料１１３４および１１３６は、システム１１３０が体液などの導電性液体と接触する場合に、電位差を生ずるように選択される。材料１１３６として対象となる材料には、限定されないが、Ｍｇ、Ｚｎ、または他の電気的陰性金属が含まれる。材料１１３４に関して上記で指摘したように、材料１１３６は、フレームワーク上に化学沈着、蒸着、それに固定、またはその上に組み立ててもよい。また、材料１１３６（ならびに、必要なら、材料１１３４）のフレームワーク１１３２への接着を助けるために接着層が必要となる場合もある。材料１１３６に対する典型的な接着層は、Ｔｉ、ＴｉＷ、Ｃｒまたは類似材料である。陽極材料および接着層は、物理蒸着、電着またはプラズマ蒸着により沈着されてもよい。材料１１３６は、約０．０５〜約５００μｍの厚さ、例えば、約５〜約１００μｍ厚さであってよい。しかし、本開示の範囲は、いずれの材料の厚さにも、フレームワーク１１３２に材料を沈着させる、または固定するのに使用されるプロセスのタイプにも、限定されない。
【０１１３】
従って、システム１１３０が導電性液体と接触している場合、電流経路（一例が図１３に示される）が材料１１３４と材料１１３６との間の導電性液体を通って形成される。制御デバイス１１３８は、フレームワーク１１３２に固定され、材料１１３４および１１３６に電気的に接続される。制御デバイス１１３８は、材料１１３４と材料１１３６との間のコンダクタンスを制御し、変えることができる電子回路、例えば、制御論理回路を含む。
【０１１４】
材料１１３４と材料１１３６との間で生成された電位は、システム操作用電源を提供し、さらに導電性流体およびシステムを通る電流フローを生成する。一態様では、システムは、直流モードで機能する。別の態様では、システムは、電流の方向を制御し、それにより、交流と同様に、電流の方向が周期的に反転する。システムが生理液、例えば、胃酸により流体または電解質成分が提供される導電性流体または電解質に到達すると、材料１１３４と材料１１３６との間の電流フロー経路がシステム１１３０の外部で完結する。システム１１３０を通る電流経路は、制御デバイス１１３８で制御される。電流経路の完結により、電流が流れることを可能とし、さらには、受信機が電流の存在を検出でき、システム１１３０が作動し、所望の事象が発生しているか、または、発生したことが認識される。
【０１１５】
一態様では、２種の材料１１３４および１１３６は、電池などの直流電源にとって必要な２つの電極に、機能の点で類似している。導電性液体は、電源を完成するのに必要な電解質として作用する。記載の完成された電源は、身体内のシステム１１３０の材料１１３４および１１３６とその周りの流体との間の物理化学的反応により規定される。完成電源は、イオン性または導電性溶液、例えば、胃液、血液、または他の体液および一部の組織中の逆電気分解を利用する電源と見なされ得る。さらに、この環境は、身体以外のものであってよく、液体はどのような導電性液体でもよい。例えば、導電性液体は、塩水または金属ベースのペンキであってもよい。
【０１１６】
特定の態様では、これらの２つの材料は、追加の材料層により、周辺環境から遮蔽される。従って、遮蔽材が溶解され２つの異種材料が、標的部位に露出されると、電位が生成される。
【０１１７】
再度、図１３を参照すると、材料１１３４および１１３６は、制御デバイス１１３８を作動させる電位を供給する。制御デバイス１１３８が起動されるか、電源を投入されるとすぐに、制御デバイス１１３８は、材料１１３４と材料１１３６との間のコンダクタンスを特有の方法で変更できる。材料１１３４と材料１１３６との間のコンダクタンスを変えることにより、制御デバイス１１３８は、システム１１３０の周辺の導電性液体を通る電流の大きさを制御できる。これは、検出可能で、受信機により測定可能な特有の電流シグネチャを生成する。この受信機は、身体の内部にでも、外部にでも設置可能である。材料間の電流経路の大きさの制御に加えて、「Ｉｎ−Ｂｏｄｙ  Ｄｅｖｉｃｅ  ｗｉｔｈ  Ｖｉｒｔｕａｌ  Ｄｉｐｏｌｅ  Ｓｉｇｎａｌ  Ａｍｐｌｉｆｉｃａｔｉｏｎ」という名称の米国特許公開第２００９−００８２６４５Ａ１号（この特許出願の全開示は参照により本明細書に援用される）で開示されているように、非導電性材料、膜、または「スカート」を使用して電流経路の「長さ」を増やし、従って、コンダクタンス経路を強化する作用をする。あるいは、本明細書の開示全体を通し、用語の「非導電性材料」、「膜」、および「スカート」は、本開示の範囲または態様および請求項に影響を与えることなく、用語の「電流経路エクステンダ」と同義である。それぞれ１１３５および１１３７の一部として示されるスカートは、例えば、固定などにより、フレームワーク１１３２へ結合してもよい。本開示の範囲内で、スカートの種々の形状および配置が意図されている。例えば、システム１１３０は、スカートにより完全に、または部分的に取り囲まれてもよく、スカートは、システム１１３０の中心軸に沿って配置されても、または中心軸から外れて配置されてもよい。従って、本明細書で請求される本開示の範囲は、スカートの形またはサイズにより限定されない。さらに、他の態様では、材料１１３４および１１３６は、材料１１３４と材料１１３６との間の任意の定まった領域に配置されている１つのスカートにより分離されてもよい。
【０１１８】
ここで、図１２を参照すると、摂取可能なデバイスの別の態様が、システム１１４０としてさらに詳細に示されている。システム１１４０は、フレームワーク１１４２を含む。フレームワーク１１４２は、図１１のフレームワーク１１３２に類似のものである。システム１１４０のこの態様では、消化可能または溶解可能材料１１４４は、フレームワーク１１４２の側面の一部に沈着される。フレームワーク１１４２の同じ側面の異なる部分に、材料１１４４と材料１１４６とが異種となるように別の消化可能材料１１４６が沈着される。さらに具体的には、材料１１４４および１１４６は、体液などの導電性液体と接触時に、電位差を形成するように選択される。従って、システム１１４０が、導電性液体と接触、および／または部分的に接触すると、図１３に示す例の電流経路が、材料１１４４と材料１１４６との間の導電性液体を通って形成される。制御デバイス１１４８は、フレームワーク１１４２に固定され、材料１１４４および１１４６に電気的に接続される。制御デバイス１１４８は、材料１１４４と材料１１４６との間のコンダクタンス経路の一部を制御できる電子回路を含む。材料１１４４および１１４６は、非導電性スカート１１４９により分離される。スカート１１４９の種々の例は、「ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ  ＭＥＴＨＯＤＳ  ＯＦ  ＵＳＩＮＧ  ＳＡＭＥ」という名称の２００９年４月２８日出願の米国特許仮出願第６１／１７３、５１１号、および「ＩＮＧＥＳＴＩＢＬＥ  ＥＶＥＮＴ  ＭＡＲＫＥＲＳ  ＨＡＶＩＮＧ  ＳＩＧＮＡＬ  ＡＭＰＬＩＦＩＥＲＳ  ＴＨＡＴ  ＣＯＭＰＲＩＳＥ  ＡＮ  ＡＣＴＩＶＥ  ＡＧＥＮＴ」という名称の２００９年４月２８日出願の米国特許仮出願第６１／１７３、５６４号、ならびに、米国特許公開第２００９−００８２６４５号として公開された「ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ」という名称の特許で開示されている。これらのそれぞれの全開示は、参照により本明細書に援用される。
【０１１９】
制御デバイス１１４８が作動されると、または電源が入るとすぐに、制御デバイス１１４８は、材料１１４４と材料１１４６との間のコンダクタンスを変更できる。従って、制御デバイス１１４８は、システム１１４０の周辺の導電性液体を通る電流の大きさを制御できる。システム１１３０に関して上で指摘したように、システム１１４０に関連する特有の電流シグネチャが、受信機により検出され、システム１１４０の作動を知らせることができる。電流経路の「長さ」を増やすために、スカート１１４９の大きさが変更される。電流経路が長いほど、受信機の電流検出が容易になると思われる。
【０１２０】
次に図１３を参照すると、図１１のシステム１１３０が作動状態で、導電性液体と接触している状態で示される。システム１１３０は、接地１１５２を介して接地される。また、システム１１３０は、センサーモジュール１１７４を含み、これは、図１５に関連してさらに詳細に説明される。イオンまたは電流経路１１５０は、材料１１３４と材料１１３６との間、およびシステム１１３０と接触している導電性流体を通って形成される。材料１１３４と材料１１３６との間で形成される電位は、材料１１３４および１１３６と導電性流体との間の化学反応を介して生成される。
【０１２１】
図１４Ａは、材料１１３４の表面の分解組立図を示す図である。材料１１３４の表面は、平面ではなく、むしろ、図示されるように不規則表面１１５４である。不規則表面１１５４は、材料の表面積を増やし、従って、導電性流体と接触する面積を増やす。
【０１２２】
一態様では、材料１１３４の表面で、材料１１３４と周辺導電性流体との間で化学反応が起こり、それにより、マス（ｍａｓｓ）が導電性流体中に放出される。本明細書で使われる用語の「マス（ｍａｓｓ）」は、物質を形成するプロトンおよびニュートロンを意味する。一例としては、材料がＣｕＣｌの場合、導電性流体と接触し、ＣｕＣｌが溶液中でＣｕ（固体）、およびＣｌ−になる瞬間がある。イオンの導電性流体中への流れは、イオン経路１１５０により示される。同様にして、材料１１３６と周辺導電性流体との間で化学反応があり、イオンが材料１１３６により捕捉される。材料１１３４でのイオンの放出および材料１１３６によるイオンの捕捉は、一括して、イオン交換と呼ばれる。イオン交換速度、従って、イオン放出速度または流れは、制御デバイス１１３８により制御される。制御デバイス１１３８は、コンダクタンスを変えることにより、イオン流の速度を増減でき、それにより、材料１１３４の材料１１３６との間のインピーダンスを変える。イオン交換の制御により、システム１１３０は、イオン交換プロセス中に情報をコードできる。従って、システム１１３０は、イオン放出を使用してイオン交換中に情報をコードする。
【０１２３】
周波数が変調され、振幅が一定である場合と同様に、制御デバイス１１３８は、速度または大きさをほぼ一定に保持しながら、固定イオン交換速度または電流フローの大きさの持続時間を変えることができる。また、制御デバイス１１３８は、持続期間をほぼ一定に保ちながら、イオン交換速度または電流フローの大きさのレベルを変えることができる。従って、持続期間の変化の種々の組み合わせを使い、その速度または大きさを変えて、制御デバイス１１３８は、電流フローまたはイオン交換中の情報をコードする。制御デバイス１１３８は、いずれかの技術、すなわち、二位相偏移変調（ＰＳＫ）、周波数変調、振幅変調、オンオフキーイング、およびオンオフキーイングを有するＰＳＫなどを使用可能であるが、これらのいずれの技術にも限定されない。
【０１２４】
上記での指摘のように、本明細書で開示の図１１および図１２のそれぞれシステム１１３０および１１４０などの種々の態様は、制御デバイス１１３８または制御デバイス１１４８の一部として電子部品を含む。存在可能な部品には、限定されないが、論理、および／または記憶素子、集積回路、インダクター、抵抗器、および種々のパラメータ測定用センサーが含まれる。各部品は、フレームワークおよび／または別の部品に固定できる。支持体の表面上の部品は、どのような好都合な配置に配列されてもよい。２個以上の部品が固体支持表面上に存在する場合は、相互接続が行われる場合がある。
【０１２５】
上記での指摘のように、システム１１３０および１１４０などのシステムは、異種材料間のコンダクタンスを制御し、従って、イオン交換または電流フローの速度を制御する。特異的方式でコンダクタンスを変えることにより、システムは、イオン交換および電流シグネチャ中の情報をコードできる。イオン交換または電流シグネチャを使用して、特定のシステムが固有の方式で特定される。さらに、システム１１３０および１１４０は、種々の異なる特有の交換またはシグネチャを生成でき、従って、追加の情報を付与できる。例えば、第２のコンダクタンス変化パターンに基づく第２の電流シグネチャを使用して、追加の情報を付与でき、この情報は、物理的環境に関係付けることができる。さらに例示すると、第１の電流シグネチャは、チップ上の発振器を維持する非常に低い電流状態であってよく、第２の電流シグネチャは、第１の電流シグネチャに付随する電流状態より少なくとも１０倍高い電流状態であってよい。
【０１２６】
次に図１５を参照すると、制御デバイス１１３８のブロック図が示されている。制御デバイス１１３８は、制御モジュール１１６２、計数器またはクロック１１６４、および記憶デバイス１１６６を含む。さらに、制御デバイス１１３８は、図１３で参照されたセンサーモジュール１１７２およびセンサーモジュール１１７４を含むことが示される。制御モジュール１１６２は、材料１１３４に電気的に接続された入力デバイス１１６８および材料１１３６に電気的に接続された出力デバイス１１７０を有する。制御モジュール１１６２、クロック１１６４、記憶デバイス１１６６、ならびにセンサーモジュール１１７２および１１７４も電源入力デバイス（一部図示せず）を持つ。システム１１３０が導電性流体と接触している場合は、これらの部品のそれぞれの電力は、材料１１３４および１１３６と導電性流体との間の化学反応で生成される電位により供給される。制御モジュール１１６２は、システム１１３０の全体のインピーダンスを変える論理回路によりコンダクタンスを制御する。制御モジュール１１６２は、クロック１１６４に電気的に接続される。クロック１１６４は、クロックサイクルを制御モジュール１１６２に与える。クロックサイクルの設定値を越えると、制御モジュール１１６２のプログラムされた性質に基づいて、制御モジュール１１６２は、材料１１３４と材料１１３６との間のコンダクタンス特性を変える。このサイクルは、反復され、それにより、制御デバイス１１３８は、特有の電流シグネチャ特性を生成する。制御モジュール１１６２は、メモリ１１６６に電気的に接続される。クロック１１６４および記憶デバイス１１６６の両方は、材料１１３４と材料１１３６との間で生成された電位により電力供給される。
【０１２７】
また、制御モジュール１１６２も、センサーモジュール１１７２および１１７４と電気的に結合され、これらモジュールと通信する。示された態様では、センサーモジュール１１７２は、制御デバイス１１３８の一部であり、センサーモジュール１１７４は、別の部品である。別の態様では、センサーモジュール１１７２および１１７４の一方は、他方がなくても使用可能であり、本開示の範囲は、センサーモジュール１１７２または１１７４の構造的または機能的位置に限定されない。さらに、システム１１３０のいずれの部品も、請求された本開示の範囲を制限することなく、機能的または構造的に移動、組み合わせ、または再配置できる。従って、１つの単一構造、例えば、制御モジュール１１６２、クロック１１６４、記憶デバイス１１６６、およびセンサーモジュール１１７２または１１７４の全てのモジュールの機能を実行するように設計されているプロセッサを持つことができる。他方、電気的に結合され、通信可能な独立した構造で配置されたこれらの機能部品のそれぞれを持つこともまた、本開示の範囲内にある。
【０１２８】
再度図１５を参照するが、センサーモジュール１１７２または１１７４は、温度、圧力、ｐＨレベル、および伝導率のセンサーの内のいずれかを含んでもよい。一態様では、センサーモジュール１１７２または１１７４は、環境から情報を集め、アナログ情報を制御モジュール１１６２に伝達する。その後、制御モジュールは、アナログ情報をディジタル情報に変換し、ディジタル情報が、電流フローまたはイオン流を生成するマス（ｍａｓｓ）の移動速度にコードされる。別の態様では、センサーモジュール１１７２または１１７４は、環境から情報を集め、アナログ情報をディジタル情報に変換し、その後、ディジタル情報を制御モジュール１１６２に通信する。図１３に示された態様では、センサーモジュール１１７４は、材料１１３４および１１３６ならびに制御デバイス１１３８に電気的に接続された状態で示されている。図１５に示す別の態様では、センサーモジュール１１７４は、連結部で制御デバイス１１３８と電気的に接続される。結線は、センサーモジュール１１７４への電源の供給源およびセンサーモジュール１１７４と制御デバイス１１３８との間の通信チャネルの両方の役割を果たす。
【０１２９】
次に図１４Ｂを参照すると、システム１１３０は、材料１１３９に接続されたｐＨセンサーモジュール１１７６を含み、このセンサーは、特定のタイプの検知機能に合わせるように選択が行われている。また、ｐＨセンサーモジュール１１７６は、制御デバイス１１３８に接続されている。材料１１３９は、非導電性バリア１１５５により材料１１３４から電気的に絶縁されている。一態様では、材料１１３９は、白金である。動作中、ｐＨセンサーモジュール１１７６は、材料１１３４および１１３６間の電位差を使用する。ｐＨセンサーモジュール１１７６は、材料１１３４と材料１１３９との間の電位差を測定し、後で比較するためにその値を記録する。また、ｐＨセンサーモジュール１１７６は、材料１１３９と材料１１３６との間の電位差を測定し、後で比較するためにその値を記録する。ｐＨセンサーモジュール１１７６は、電位値を使用して周辺環境のｐＨレベルを計算する。ｐＨセンサーモジュール１１７６は、制御デバイス１１３８にその情報を提供する。制御デバイス１１３８は、イオン移動および電流フローを起こす化学種の移動速度を変え、イオン移動のｐＨレベル関連情報をコードする。これは、受信機により検出できる。従って、システム１１３０は、ｐＨレベルに関する情報を測定し、周辺環境の外部のソースに提供できる。
【０１３０】
上記での指摘のように、制御デバイス１１３８は、所定の電流シグネチャを出力するように前もってプログラムできる。別の態様では、システムが起動されると、システムがプログラミング情報を受信できる受信システムを含んでもよい。別の態様では、システムが起動されると、システムがプログラミング情報を受信できる受信システムを含んでもよい。別の態様では、図示されていないが、スイッチ１１６４および記憶デバイス１１６６を１つのデバイスに組み合わせることができる。
【０１３１】
上記部品に加えて、システム１１３０は、１個または他の電子部品を含んでもよい。対象電気部品には、限定されないが、例えば、集積回路の形の追加の論理回路および／または記憶素子、電力調整デバイス、例えば、バッテリー、燃料電池、またはコンデンサー、センサー、刺激デバイスなど、例えば、アンテナ、電極、コイルなどの形の信号送信素子、受動素子、例えば、インダクター、抵抗器などが含まれる。
【０１３２】
さらに、受信機／検出器の種々の実施可能な態様を以下図１６〜図２１に示す。
【０１３３】
図１６は、本開示の一態様に従って、どのように受信機がコヒーレント復調プロトコルを実装できるかを示す機能ブロック図である。受信機の一部のみが図１６に示されていることに留意されたい。図１６は、搬送波周波数（およびキャリアオフセットにミックスダウンされる搬送波信号）が決定されるとすぐに、基底帯域まで信号をミックスダウンするプロセスを示す。搬送波信号２２２１は、ミキサー２２２３の第２の搬送波信号２２２２とミキシングされる。帯域外雑音の影響を減らすために、適切な帯域幅の狭帯域ローパスフィルター２２２０が適用される。復調は、本開示のコヒーレント復調方式に従って、機能ブロック２２２５で起こる。複素信号のアンラップ位相（ｕｎｗｒａｐｐｅｄ  ｐｈａｓｅ）２２３０が決定される。計算と実際の搬送波周波数との間の周波数差異を推定するために、位相展開が使われる任意の第３のミキサー段階が適用できる。次に、パケットの構造を利用して、ブロック２２４０でＢＰＳＫ信号のコーディング領域の開始点が決定される。主に、複素復調信号の振幅信号中のＦＭポーチとして現れる同期ヘッダの存在を使用して、パケットの開始境界が決定される。パケットの開始点が決定されるとすぐに、ブロック２２５０で、信号がＩＱ平面上で回転され、標準的ビット識別後、最終的にブロック２２６０でデコードされる。
【０１３４】
復調に加えて、トランスボディ（ｔｒａｎｓｂｏｄｙ）通信モジュールは、順方向誤り訂正モジュールを含んでもよく、このモジュールにより、他の望ましくない信号および雑音からの干渉が抑制され、追加の利得が得られる。対象の順方向誤り訂正機能モジュールは、国際公開第ＷＯ２００８／０６３６２６号として公開されたＰＣＴ出願第ＰＣＴ／ＵＳ２００７／０２４２２５号に記載されているものを含む。この開示は、参照により本明細書に援用される。一部の例では、順方向誤り訂正モジュールは、いずれの好都合なプロトコル、例えば、リード−ソロモン、ゴレイ、ハミング、ＢＣＨ、およびターボプロトコルを採用して、デコードエラーを特定し、訂正（境界内）してもよい。
【０１３５】
本開示の受信機は、ビーコン機能モジュールをさらに採用してもよい。種々の態様では、ビーコンスイッチングモジュールは、ビーコンウェイクアップモジュール、ビーコン信号モジュール、ウエーブ／周波数モジュール、複数の周波数モジュール、および変調信号モジュール、の内の１つ以上を採用してよい。
【０１３６】
ビーコンスイッチングモジュールは、ビーコン通信手段、例えば、ビーコン通信チャネル、ビーコンプロトコルなどに接続してもよい。本開示の目的に対しては、ビーコンは、通常、メッセージの一部として、またはメッセージを増強するために送信される信号である（本明細書では、「ビーコン信号」と呼ばれることもある）。ビーコンは、周波数などの明確な特性を持つことができる。ビーコンは、ノイズが多い環境中で容易に検出でき、また、下記で示すように、傍受回路を起動するのに使用できる。
【０１３７】
一態様では、ビーコンスイッチングモジュールは、ウェイクアップ機能を有するビーコンウェイクアップモジュールを含んでもよい。ウェイクアップ機能は、通常、特定の時間、例えば、特定の目的のための短期間のみ高出力モードで動作して信号を受信するなどの機能を含む。システムの受信機部に対する重要な配慮は、それが低出力であるべきであるという点である。この特徴は、小さいサイズにできること、および長時間機能する電池電源を維持することの両方の点で移植受信機にとって有利となりうる。ビーコンスイッチングモジュールは、受信機を非常に限られた時間だけ高出力モードで動作させることにより、これらの利点を可能とする。この種の短い負荷サイクルは、最適システムサイズおよびエネルギー消費特性を可能とする。
【０１３８】
実際上、受信機は、定期的に「ウェイクアップ」させ、例えば、傍受回路を介して低エネルギー消費で「傍受機能」を実行できる。本発明の出願の目的では、用語の「傍受機能」は、通常、送信機が存在するか否かを判断するための短時間で低出力の機能を意味する。傍受機能により送信機信号が検出されると、デバイスは、高出力通信復調モードに移行できる。送信機信号が存在しない場合は、受信機は、スリープモードに、例えば、直ちに戻ることができる。このように、エネルギーは、送信機信号が存在しない場合には比較的長期間保持され、一方、送信信号が存在する場合には高出力機能が比較的短い期間のみ効率的復調モード動作で利用できるように維持される。いくつかのモード、およびこれらの組み合わせが、傍受回路の動作に利用できる。特定のシステムのニーズを傍受回路構成に適合させることにより、最適化システムを実現できる。
【０１３９】
ビーコンモジュール２３００の別の図が、図１７の機能ブロック図により提供される。図１７の概要図は、適正なビーコンを特定する一技術を示す。受信信号２３６０は、電極により受信され、高周波シグナルチェーン（搬送波周波数を含む）により帯域通過フィルター処理され（例えば、１０ＫＨｚ〜３４ＫＨｚ）、アナログからディジタル変換された信号を表す。信号２３６０は、その後、ブロック２３６１でデシメートされ、ミキサー２３６２において名目駆動周波数（例えば、１２．５ＫＨｚ、２０ＫＨｚなど）でミキシングされる。得られた信号は、ブロック２３６４でデシメートされ、ブロック２３６５でローパスフィルター処理（例えば、５ＫＨｚ  ＢＷ）されて、キャリアオフセット信号２３６９にミックスダウンされた搬送波信号を生成する。信号２３６９は、ブロック２３６７（高速フーリエ変換およびその後、２つの最強ピークの検出）でさらに処理されて、真の搬送波周波数信号２３６８を生成する。このプロトコルは、送信ビーコンの搬送波周波数の正確な決定を可能とする。
【０１４０】
図１８は、本開示の態様による信号受信機の集積回路部品の機能ブロック図である。図１８では、受信機２７００は、電極入力デバイス２７１０を含む。トランスボディ導電性通信モジュール２７２０および生理的検知モジュール２７３０は、電極入力デバイス２７１０に電気的に接続されている。一態様では、トランスボディ導電性通信モジュール２７２０は、高周波数（ＨＦ）シグナルチェーンとして実装され、生理的検知モジュール２７３０は低周波数（ＬＦ）シグナルチェーンとして実装される。また、ＣＭＯＳ温度検知モジュール２７４０（周囲温度検出用）および３軸加速度計２７５０が示されている。また、受信機２７００は、処理エンジン２７６０（例えば、マイクロコントローラおよびディジタル信号プロセッサ）、不揮発性記憶デバイス２７７０（データ保存用）および無線通信モジュール２７８０（例えば、データアップロード操作時の、別のデバイスへのデータ送信用）を含む。
【０１４１】
図１９は、図１８に示された受信機の機能ブロック図を実装するように構成された本開示の一態様による回路のさらに詳細なブロック図である。図１９では、受信機２８００は、電極ｅ１、ｅ２およびｅ３（２８１１、２８１２および２８１３）を含み、これらは、例えば、ＩＥＭにより導電的に送信された信号を受ける、および／または対象生理的感覚パラメータまたはバイオマーカーを検知する。電極２８１１、２８１２、および２８１３により受信された信号は、電極に電気的に接続されたマルチプレクサー２８２０により多重化される。
【０１４２】
マルチプレクサー２８２０は、高域通過フィルター２８３０および低域通過フィルター２８４０の両方に電気的に結合される。高および低周波数シグナルチェーンは、所望のレベルまたは範囲をカバーするプログラム可能な利得を提供する。この特定の態様では、高域通過フィルター２８３０は、１０ＫＨｚ〜３４ＫＨｚ帯域の周波数を通過させるが、帯域外周波数からの雑音を除去する。この高周波帯域は変わってもよく、例えば、３ＫＨｚ〜３００ＫＨｚの範囲を含めてもよい。次に、通過する周波数は、増幅器２８３２により増幅された後に、高周波シグナルチェーンに電気的に接続された高出力プロセッサ２８８０（ＤＳＰとして示されている）への入力のためにコンバーター２８３４によりディジタル信号に変換される。
【０１４３】
０．５Ｈｚ〜１５０Ｈｚの範囲の低周波数を通過させるが、帯域外周波数を除去する低域通過フィルター２８４０が示されている。周波数帯域は変わってもよく、例えば、２００Ｈｚ未満、１５０Ｈｚ未満などの３００Ｈｚ未満の周波数を含んでもよい。通過する周波数信号は、増幅器２８４２で増幅される。また、第２のマルチプレクサー２８６０に電気的に接続された加速度計２８５０も示されている。マルチプレクサー２８６０は、増幅器２８４２からの増幅された信号を使用して加速度計からの信号を多重化する。次に、多重化信号は、コンバーター２８６４によりディジタル信号に変換される。このコンバーターも低出力プロセッサ（マイクロコントローラ）２８７０に電気的に結合されている。
【０１４４】
一態様では、加速度計２８５０の代わりに、ディジタル加速度計（例えば、Ａｎａｌｏｇ  Ｄｅｖｉｃｅｓにより製造されたもの）を実装してもよい。ディジタル加速度計を使うことにより種々の利点が得られる。例えば、ディジタル加速度計は、既にディジタルフォーマットになっている信号を生成することになるので、ディジタル加速度計は、コンバーター２８６４をバイパスして、低出力マイクロコントローラ２８７０に電気的に結合できる。この場合、マルチプレクサー２８６０は、もはや必要ないであろう。また、ディジタル信号は、運動を検出するとそれ自体で回転するように構成でき、さらに電力を節約できる。さらに、連続歩数計数機能を実装できる。ディジタル加速度計は、ＦＩＦＯバッファを組み込んで、低出力プロセッサ２８７０に送信されるデータフローの制御を支援してもよい。例えば、データ一杯になるまでＦＩＦＯにバッファリングでき、この時点でプロセッサがアイドル状態から立ち上がって、データを受信するように起動させてもよい。
【０１４５】
低出力プロセッサ２８７０は、例えば、Ｔｅｘａｓ  ＩｎｓｔｒｕｍｅｎｔｓのＭＳＰ４３０マイクロコントローラであってもよい。受信機２８００の低出力プロセッサ２８７０は、前に述べたように、アイドル状態を維持し、最小限の電流、例えば、１０μＡ以下、または、１μＡ以下しか必要としない。
【０１４６】
高出力プロセッサ２８８０は、例えば、Ｔｅｘａｓ  ＩｎｓｔｒｕｍｅｎｔｓのＶＣ５５０９ディジタル信号プロセッサであってもよい。高出力プロセッサ２８８０は、起動状態の間、信号処理動作を行う。これらの動作は、前に述べたように、アイドル状態より大きな量、例えば、３０μＡ以上、５０μＡ以上の電流を必要とし、例えば、導電的に送信された信号の走査、導電的に送信された信号の受信時の処理、生理的データの取得および／または処理などの動作を含んでもよい。
【０１４７】
受信機は、データ信号を処理するために、ハードウェアアクセラレータモジュールを含んでもよい。ハードウェアアクセラレータモジュールが、例えば、ＤＳＰの代わりに実装されてもよい。より特殊な計算機として、それは、より一般的な目的のＤＳＰに比べて、より少ないトランジスタ（より少ないコストと電力）を使う信号処理アルゴリズムの諸側面を実行する。複数ブロックのハードウェアを、重要な特定の機能の実行を「加速する」ために使用できる。ハードウェアアクセラレータの内の一部の構成を、マイクロコードまたはＶＬＩＷアセンブリを使用して「プログラム可能」にすることができる。使用の過程では、それらの機能は、機能ライブラリーをコールすることによりアクセス可能である。
【０１４８】
ハードウェアアクセラレータ（ＨＷＡ）モジュールは、処理される入力信号および入力信号を処理する指示を受信するＨＷＡ入力ブロック、ならびに、受信指示に従って入力信号を処理し、処理結果の出力信号を生成するＨＷＡ処理ブロックを含む。得られた出力信号は、必要に応じ、ＨＷＡ出力ブロックにより送信できる。
【０１４９】
また、図１９に、高出力プロセッサ２８８０に電気的に接続されたフラッシュメモリ２８９０を示す。一態様では、フラッシュメモリ２８９０は、より優れた電力効率を提供できる低出力プロセッサ２８７０に電気的に接続されてもよい。
【０１５０】
高出力プロセッサ２８８０に電気的に結合された無線通信素子２８９５が示されており、これには、例えば、ブルートゥース（登録商標）無線送受信機を含めてもよい。一態様では、無線通信素子２８９５は、高出力プロセッサ２８８０に電気的に接続される。別の態様では、無線通信素子２８９５は、高出力プロセッサ２８８０および低出力プロセッサ２８７０に電気的に接続される。さらに、無線通信素子２８９５は、それ自体の電源を持つように実装されてもよく、それにより、他の受信機の部品とは独立に、例えば、マイクロプロセッサにより電源のオンとオフが可能となる。
【０１５１】
図２０は、高周波シグナルチェーンに関連する本開示の態様による受信機のハードウェアのブロック図である。図２０では、受信機２９００は、マルチプレクサー２９２０に電気的に結合された受信機プローブ（例えば、電極２９１１、２９１２および２９１３の形の）を含む。また、全ての帯域外周波数を除去する帯域フィルターを提供するための高域通過フィルター２９３０および低域通過フィルター２９４０が示されている。示された態様では、１０ＫＨｚ〜３４ＫＨｚの通過帯域が与えられ、この周波数帯域内に入る搬送波信号を通過させる。搬送波周波数の例には、限定されないが、１２．５ＫＨｚおよび２０ＫＨｚを含んでもよい。１つ以上の搬送波が存在してもよい。さらに、受信機２９００は、例えば、５００ＫＨｚでサンプリングするアナログ／ディジタルコンバーター２９５０を含む。ディジタル信号は、その後、ＤＳＰで処理できる。この態様で示されるのは、ディジタル信号をＤＳＰ用専用記憶デバイスに送信するＤＳＰダイレクトメモリアクセスユニット２９６０である。ダイレクトメモリーアクセスにより、ＤＳＰの休止を低出力モードのままで維持可能にする利点が得られる。
【０１５２】
前に述べたように、各受信機の状態に対し、高出力機能ブロックは、起動および停止状態の間を適宜循環できる。また、各受信機の状態に対し、受信機の種々の受信機要素（回路ブロック、プロセッサ内の電力ドメインなど）は、電力供給モジュールによりオンとオフを独立に循環させるように構成できる。従って、受信機は、電力効率を実現するために、各状態に対し異なる構成を持つことができる。
【０１５３】
本開示システムの一例を、図２１に示す。図２１では、システム３５００は、ＩＥＭを含む医薬構成物３５１０を含む。また、システム３５００には、信号受信機３５２０も存在する。信号受信機３５２０は、ＩＥＭ３５１０の識別子から送出される信号を検出するように構成されている。また、信号受信機３５２０は、ＥＣＧおよび動作検知機能などの生理的検知機能を含む。信号受信機３５２０は、データを患者の外部デバイスまたはＰＤＡ３５３０（例えば、スマートホンまたは他の無線通信可能デバイス）に送信し、次にそのデータをサーバー３５４０に送信するように構成されている。サーバー３５４０は、所望により、例えば、患者に直接許可を与えるように構成してもよい。例えば、矢印３５６０で示されるように、サーバー３５４０は、例えば、家族の介護者３５５０がモニター警告およびサーバー３５４０により生成される傾向をモニターし、患者の支援に反映することを可能とするインターフェイス（例えば、ウェブインターフェイス）を介して、家族の介護者３５５０が患者の治療計画に関与できるように構成してもよい。また、矢印３５６５により示されるように、サーバー３５４０は、例えば、患者にＰＤＡ３５３０を介して中継される患者への警告、患者インセンティブなどの形で、応答を直接患者に与えるように構成されてもよい。また、矢印３５８０で示されるように、サーバー３５４０は、健康ケア専門家（例えば、看護師、医師）３５５５と相互にやり取りしてもよい。健康ケア専門家は、データ処理アルゴリズムを使用して、患者の健康および服薬遵守の程度、例えば、ウェルネス指数集計、警告、患者間ベンチマークなどを知り、情報を含む臨床的連絡を患者に与え、患者の支援に反映することができる。
【０１５４】
本開示は、特定の記載の実施形態に限定されず、変更してもよいことを理解されたい。また、本開示の範囲は、添付の請求項によってのみ限定されるものであるから、本明細書で使われた専門用語は、特定の実施形態のみを説明する目的のためのものであり、限定する意図はないことを理解されたい。
【０１５５】
ある範囲の値が提供される場合、明確な文脈による別義の指示がない限り、その範囲の上限値と下限値との間のそれぞれの間にある値、およびいずれかの他の表示されたまたはその表示された範囲の間にある値は、下限値の単位の１／１０まで本開示に包含されることを理解されたい。これらのより小さい範囲の上限値と下限値は、独立に、より小さい範囲に含まれてもよく、また、表示された範囲内のいずれかの特別に除外される制限を条件として、本開示の範囲内に包含される。表示された範囲が制限値の片方または両方を含む場合は、片方または両方のそれらの包含された制限値を除く範囲もまた本開示に含まれる。
【０１５６】
特に断らなければ、本明細書で使われる全ての技術的および科学的用語は、本開示が属する当業者により通常理解されているものと同じ意味を有する。本明細書記載のものに類似、または等価ないずれの方法および材料も、また、本開示の実施または試験に使用可能であるが、ここでは代表として例示された方法および材料が記載されている。
【０１５７】
添付請求項に関わらず、本開示は、また、下記の付記によっても規定される。
【０１５８】
付記１．プロセッサによりマインドフルネス促進データを受信することであって、個人による事前選択行動変容での気付きを特定するために、マインドフルネス促進データが、個人により割り付けられた意味に関連付けられることと、
プロセッサによりマインドフルネス促進データを処理して少なくとも１つの事前選択行動変容の技法を特定することと、
プロセッサにより対応する指示を生成して特定された少なくとも１つの事前選択行動変容の技法を開始することと
を含むことを特徴とする方法。
【０１５９】
付記２．摂取事象、注射事象、吸入事象、注入事象、健康モニタリング事象、身体活動事象、および食事事象から基本的に構成される群より選択される少なくとも１つの事象からマインドフルネス促進データが生成されることを特徴とする付記１に記載の方法。
【０１６０】
付記３．マインドフルネス促進データを生成する摂取事象は、摂取可能なデバイスを介して促進されることを特徴とする付記２に記載の方法。
【０１６１】
付記４．摂取可能なデバイスは、ＲＦＩＤ対応デバイスおよび電流変更デバイスから基本的に構成される群より選択されることを特徴とする付記３に記載の方法。
【０１６２】
付記５．少なくとも１つの行動変容の技法は、マインドフルネス技法、ムードマイナー技法（ｍｏｏｄ  ｍｉｎｅｒ  ｍｅｔｈｏｄｏｌｏｇｙ）、友達からの支援技法（ｈｅｌｐ  ｆｒｏｍ  ｍｙ  ｆｒｉｅｎｄｓ  ｍｅｔｈｏｄｏｌｏｇｙ）、健康食摂取約束技法（ｃｏｍｍｉｔ  ｔｏ  ｈｅａｌｔｈｙ  ｅａｔｉｎｇ  ｍｅｔｈｏｄｏｌｏｇｙ）、偽薬技法（ｐｌａｃｅｂｏ  ｐｉｌｌｓ  ｍｅｔｈｏｄｏｌｏｇｙ）、およびマッチド技法（ｍａｔｃｈｅｄ  ｍｅｔｈｏｄｏｌｏｇｙ）から基本的に構成される群より選択されることを特徴とする付記１に記載の方法。
【０１６３】
付記６．マインドフルネス技法を個人の身体的状態または精神的状態の内の少なくとも１つと関連付けることをさらに含むことを特徴とする付記５に記載の方法。
【０１６４】
付記７．個人の身体的状態または精神的状態を、集中、活力、平静、および幸福の内の少なくとも１つと関連付けることをさらに含むことを特徴とする付記６に記載の方法。
【０１６５】
付記８．身体的状態または精神的状態がネガティブな感情の解毒剤と関連付けられ、集中状態がストレスと関連付けられ、活力状態が意志力と関連付けられ、平静状態が怒りと関連付けられ、さらに幸福状態が悲しみと関連付けられることを特徴とする付記７に記載の方法。
【０１６６】
付記９．マインドフルネス促進デバイスによりマインドフルネス促進データを生成することをさらに含むことを特徴とする付記１に記載の方法。
【０１６７】
付記１０．マインドフルネス促進デバイスは摂取可能なデバイスであることを特徴とする付記９に記載の方法。
【０１６８】
付記１１．デバイスにより対応する指示を受信することをさらに含むことを特徴とする付記１に記載の方法。
【０１６９】
付記１２．システム部品を介してマインドフルネス促進データに関連するデータを追跡することと、
システム部品を介してマインドフルネス促進データに関連するフィードバックを生成することと
をさらに含むことを特徴とする付記１に記載の方法。
【０１７０】
付記１３．システム部品を介してマインドフルネス促進データに関連する予防措置指示を生成することをさらに含むことを特徴とする付記１に記載の方法。
【０１７１】
付記１４．システムを介してマインドフルネス促進データに応答してメッセージを生成することと、
メッセージに応答して、システムを介して個人に関連するソーシャルネットワークアカウント、ショートメッセージサービスメッセージ、マルチメディアメッセージサービスメッセージ、または電子メールの内のいずれか１つに別のメッセージを送信することと
をさらに含むことを特徴とする付記１に記載の方法。
【０１７２】
付記１５．デバイスにより生成されたマインドフルネス促進データと、
マインドフルネス促進データに関連する少なくとも１つの行動変容技法を特定するためにプロセッサに接続された技法モジュールと、
特定された少なくとも１つの行動変容技法を開始するためにプロセッサに接続された指示モジュールと
を備えることを特徴とするシステム。
【０１７３】
付記１６．マインドフルネス促進データを生成することと、マインドフルネス促進データを送信することとの少なくとも１つを行うデータデバイスをさらに備えることを特徴とする付記１５に記載のシステム。
【０１７４】
付記１７．データデバイスは、摂取可能なデバイス、注射デバイス、吸入デバイス、注入デバイス、検出デバイス、健康モニタリングデバイス、身体活動デバイス、埋め込み型デバイス、薬剤デポー放出デバイス、および食事デバイスから基本的に構成される群より選択されることを特徴とする付記１６に記載のシステム。
【０１７５】
付記１８．摂取可能なデバイスは電流フロー中にマインドフルネス促進データをコードすることを特徴とする付記１７に記載のシステム。
【０１７６】
付記１９．摂取可能なデバイスは、
コンダクタンスを変更する制御デバイス、ならびに、
制御デバイスに電気的に接続された第１の材料と、制御デバイスに電気的に接続され、第１の材料から電気的に絶縁された第２の材料とを含む部分電源を有しており、
第１の材料および第２の材料が導電性液体と接触時に電位差を与えるように選択され、
制御デバイスは、第１の材料と第２の材料との間のコンダクタンスを変え、それにより、電流フローの大きさを変動させてマインドフルネス促進データをコードすることを特徴とする付記１８に記載のシステム。
【０１７７】
付記２０．データデバイスは、薬物送達事象データおよび生理的パラメータデータの内の少なくとも１つを送信することを特徴とする付記１５に記載のシステム。
【０１７８】
付記２１．マインドフルネス促進データに関連するデータを追跡することと、マインドフルネス促進データに関連するフィードバックを生成することとの少なくとも１つを行う追跡／フィードバックモジュールをさらに備えることを特徴とする付記１５に記載のシステム。
【０１７９】
付記２２．マインドフルネス促進データに関連する予防措置指示を生成する予防措置モジュールをさらに備えることを特徴とする付記１５に記載のシステム。
【０１８０】
付記２３．計算プラットホームで実行されると、ネットワークを介してマインドフルネス促進データを送信する方法を実行する指示を含む非一時的保存メディアであって、
ハブを介してマインドフルネス促進データを受信することと、
ハブを介して少なくとも一部のマインドフルネス促進データを技法モジュールに送信することと、
技法モジュールを介してマインドフルネス促進データに関連する少なくとも１つの技法を特定することと、
指示モジュールを介して、特定された技法に関連する少なくとも１つの指示を生成することと
を含むメディア
を有することを特徴とする物品。
【０１８１】
付記２４．ネットワーク部品を介してマインドフルネス促進データに関連するデータを追跡するステップと、
ネットワーク部品を介してマインドフルネス促進データに関連するデータを生成するステップと
の内の少なくとも１つをさらに含むことを特徴とする付記２３に記載の物品。
【０１８２】
付記２５．ネットワーク部品を介してマインドフルネス促進データに関連する予防措置指示を生成することをさらに含むことを特徴とする付記２３に記載の物品。
【０１８３】
付記２６．デバイスにより生成されるマインドフルネス促進データと、
マインドフルネス促進データに関連する少なくとも１つの行動変容技法を特定するためにプロセッサに接続された技法モジュールと、
特定された少なくとも１つの行動変容技法を開始するためにプロセッサに接続された指示モジュールと
を含むシステムであって、
マインドフルネス促進データと行動変容技法に関連するデータとの融合が、直接または間接的に行動変容を促すことを特徴とするシステム。
【０１８４】
本明細書で引用された全ての出願、出版物、および特許は、あたかも、それぞれ個別の出版物または特許が具体的に、個別に参照によって援用されると表示されているかのように参照によって本明細書に組み込まれ、また、引用された内容と関連するシステム、方法および／または材料を開示し、記載するために参照によって本明細書に援用される。いずれの出版物の引用も、出願日の前のそれの開示が目的であり、本開示が、先行開示の理由でこのような出版物に先行する権利がないことを容認すると解釈されるべきではない。さらに、付与された出版日付は、実際の出版日付とは異なる可能性があり、別個に確認が必要な場合もある。
【０１８５】
本明細書および添付の請求項で使用されるように、単数形の「ａ」、「ａｎ」、および「ｔｈｅ」は、文脈上別段の明確な指示がない限り、複数の指示対象を含むことに留意されたい。さらに、任意の追加要素を排除するよう請求項を作成してもよいことにも留意されたい。そのため、この記述は、請求項要素の記述と関連して「唯一」、「のみ」等の限定的用語を使用すること、または「否定的な」限定を使用することの先行詞となることが意図される。
【０１８６】
本開示を読めば当業者に明らかとなるように、本明細書において記載および例示される個別の実施形態は、それぞれ個別の構成要素および特徴を有し、本開示の範囲または精神から逸脱することなく、その他の幾つかの実施形態のいずれかの特徴から容易に区別または組み合わせることができる。引用される任意の方法は、引用される事象の順序、または論理的に可能なその他の順序で実行できる。
【０１８７】
前述の開示は、理解を明確にする目的で図および例を用いて詳細に記載されているが、本開示の教示に照らして、添付の請求項の精神または範囲から逸脱することなく、特定の変更および修正を行ってもよいことは、当業者に容易に明らかとなろう。
【０１８８】
したがって、前述の記載は本開示の原理の単なる例示である。本明細書において明記または明示されていないが、本開示の原理を具現化し、その精神および範囲に含まれる様々な配置を考案できることは当業者には理解されよう。さらに、本明細書で引用されるすべての例および条件付き言語は、原則として、本開示の原理および当該技術の推進に対して本発明者が寄与した概念について読者の理解を助けることを目的とし、そのような特異的に記述された例および条件に限定されないと解釈される。さらに、本明細書において本開示の原理、側面、および実施形態を引用するすべての記述、ならびにその特定例は、その構造的および機能的等価物を含むことが意図される。さらに、そのような相当物は、現在知られている等価物および将来開発される等価物、例えば、構造にかかわらず同一機能を実行する任意の開発要素をどちらも含むことが意図される。そのため、本開示の範囲は、本明細書に図示および説明される典型的な実施形態に限定されるものではない。むしろ、本開示の範囲および精神は、添付の請求項により具現化される。
【０１８９】
関連出願への相互参照
本願は、「Ａｐｐａｒａｔｕｓ、Ｓｙｓｔｅｍ  ａｎｄ  Ｍｅｔｈｏｄ  ｔｏ  Ｐｒｏｍｏｔｅ  Ｂｅｈａｖｉｏｒ  Ｃｈａｎｇｅ  Ｂａｓｅｄ  ｏｎ  Ｍｉｎｄｆｕｌｎｅｓｓ  Ｍｅｔｈｏｄｏｌｏｇｉｅｓ」という名称で２０１１年１１月２３日に出願された米国特許出願第６１／５６３，４４９号の優先権を主張する。この特許出願は、その全体が本明細書に援用される。
【図１】
2015504563.tif 000003
【図２Ｂ】
2015504563.tif 000004
【図３】
2015504563.tif 000005
【図４】
2015504563.tif 000006
【図６】
2015504563.tif 000007
【図９】
2015504563.tif 000008
【図１０】
2015504563.tif 000009
【図１１】
2015504563.tif 000010
【図１２】
2015504563.tif 000011
【図１３】
2015504563.tif 000012
【図１４ａ】
2015504563.tif 000013
【図１４Ｂ】
2015504563.tif 000014
【図１５】
2015504563.tif 000015
【図１６】
2015504563.tif 000016
【図１７】
2015504563.tif 000017
【図１８】
2015504563.tif 000018
【図１９】
2015504563.tif 000019
【図２０】
2015504563.tif 000020
【図２１】
2015504563.tif 000021
【図２Ａ】
2015504563.tif 000022
【図５】
2015504563.tif 000023
【図７】
2015504563.tif 000024
【図８】
2015504563.tif 000025
【国際調査報告】
2015504563.tif 000026
2015504563.tif 000027